(57)【要約】【課題】伝送区間上のＰＤＬ及びＤＧＤ等の偏波依存評価値を測定可能にするプローブ用の光信号を出力できるプローブ発生装置等を提供する。【解決手段】プローブ発生装置は、分離部と、第１の調整部と、変調部と、第２の調整部と、出力部とを有する。分離部は、光信号を偏波分離する。第１の調整部は、分離部で偏波分離された各光信号の偏波方向が単一の偏波方向になるように偏波分離後の光信号を調整し、調整後の各光信号を合波する。変調部は、第１の調整部で合波した光信号を分岐し、分岐した各光信号をパイロット信号で強度変調する。第２の調整部は、変調部で強度変調後の各光信号の偏波方向が異なるように強度変調後の光信号を調整する。出力部は、第２の調整部で調整後の各光信号を合波してプローブ用の光信号を生成して出力する。【選択図】図５
2016208276.tif 000002
【特許請求の範囲】
【請求項１】
光信号を偏波分離する分離部と、
前記分離部で偏波分離された各光信号の偏波方向が単一の偏波方向になるように前記偏波分離後の光信号を調整し、調整後の各光信号を合波する第１の調整部と、
前記第１の調整部で合波した光信号を分岐し、分岐した各光信号をパイロット信号で強度変調する変調部と、
前記変調部で強度変調後の各光信号の偏波方向が異なるように前記強度変調後の光信号を調整する第２の調整部と、
前記第２の調整部で調整後の各光信号を合波してプローブ用の光信号を生成して出力する出力部と
を有することを特徴とするプローブ発生装置。
【請求項２】
前記変調部は、
監視対象の第１の伝送区間を識別する第１の識別情報を重畳した第１のパイロット信号と、監視対象の第２の伝送区間を識別する第２の識別情報を重畳した第２のパイロット信号とを生成する生成部を有し、
前記分岐した一方の光信号を第１のパイロット信号で強度変調すると共に、前記分岐した他方の光信号を第２のパイロット信号で強度変調することを特徴とする請求項１に記載のプローブ発生装置。
【請求項３】
前記プローブ用の光信号をＯＮ／ＯＦＦする制御部を有することを特徴とする請求項１又は２に記載のプローブ発生装置。
【請求項４】
前記プローブ用の光信号の波長と異なる波長のダミー光信号を出力することを特徴とする請求項３に記載のプローブ発生装置。
【請求項５】
第１の波長の光信号を偏波分離する第１の分離部と、
前記第１の分離部で偏波分離された各光信号の偏波方向が単一の偏波方向になるように前記偏波分離後の光信号を調整し、調整後の各光信号を合波する第３の調整部と、
前記第３の調整部で合波した光信号を分岐し、分岐した各光信号をパイロット信号で強度変調する第１の変調部と、
前記第１の変調部で強度変調後の各光信号の偏波方向が異なるように前記強度変調後の光信号を調整する第４の調整部と、
前記第２の調整部で調整後の各光信号を合波する第１の合波部と、
前記第１の波長と異なる第２の波長の光信号を偏波分離する第２の分離部と、
前記第２の分離部で偏波分離された各光信号の偏波方向が単一の偏波方向になるように前記偏波分離後の光信号を調整し、調整後の各光信号を合波する第５の調整部と、
前記第５の調整部で合波した光信号を分岐し、分岐した各光信号をパイロット信号で強度変調する第２の変調部と、
前記第２の変調部で強度変調後の各光信号の偏波方向が異なるように前記強度変調後の光信号を調整する第６の調整部と、
前記第６の調整部で調整後の各光信号を合波する第２の合波部と、
前記第１の合波部で合波された光信号と前記第２の合波部で合波された光信号とを合波してプローブ用の光信号を生成して出力する出力部と
を有することを特徴とするプローブ発生装置。
【請求項６】
前記第１の合波部からの光信号をＯＮ／ＯＦＦする第１の制御部と、
前記第２の合波部からの光信号をＯＮ／ＯＦＦする第２の制御部と
を有することを特徴とする請求項５に記載のプローブ発生装置。
【請求項７】
前記第１の制御部は、
前記第２の制御部にて前記第２の合波部からの光信号をＯＮにした場合に、前記第１の合波部からの光信号をＯＦＦにし、
前記第２の制御部は、
前記第１の制御部にて前記第１の合波部からの光信号をＯＮにした場合に、前記第２の合波部からの光信号をＯＦＦにすることを特徴とする請求項６に記載のプローブ発生装置。
【請求項８】
光信号を偏波分離する分離部と、
前記分離部で偏波分離された各光信号の偏波方向が単一の偏波方向になるように前記偏波分離後の光信号を調整し、調整後の各光信号を合波する第１の調整部と、
前記第１の調整部で合波した光信号を分岐し、分岐した各光信号をパイロット信号で強度変調する変調部と、
前記変調部で強度変調後の各光信号の偏波方向が異なるように前記強度変調後の光信号を調整する第２の調整部と、
前記第２の調整部で調整後の各光信号を合波してプローブ用の光信号を生成して出力する出力部と、
他の光伝送装置から前記プローブ用の光信号を受信した場合に、前記プローブ用の光信号から各パイロット信号を抽出する抽出部と、
前記抽出部にて抽出された各パイロット信号に基づき、偏波依存評価値を算出する算出部と
を有することを特徴とする光伝送装置。
【請求項９】
第１の波長の光信号を偏波分離する第１の分離部と、
前記第１の分離部で偏波分離された各光信号の偏波方向が単一の偏波方向になるように前記偏波分離後の光信号を調整し、調整後の各光信号を合波する第３の調整部と、
前記第３の調整部で合波した光信号を分岐し、分岐した一方の光信号を第１のパイロット信号で強度変調すると共に、分岐した他方の光信号を第２のパイロット信号で強度変調する第１の変調部と、
前記第１の変調部で強度変調後の各光信号の偏波方向が異なるように前記強度変調後の光信号を調整する第４の調整部と、
前記第４の調整部で調整後の各光信号を合波する第１の合波部と、
前記第１の波長と異なる第２の波長の光信号を偏波分離する第２の分離部と、
前記第２の分離部で偏波分離された各光信号の偏波方向が単一の偏波方向になるように前記偏波分離後の光信号を調整し、調整後の各光信号を合波する第５の調整部と、
前記第５の調整部で合波した光信号を分岐し、分岐した一方の光信号を第３のパイロット信号で強度変調すると共に、分岐した他方の光信号を第４のパイロット信号で強度変調する第２の変調部と、
前記第２の変調部で強度変調後の各光信号の偏波方向が異なるように前記強度変調後の光信号を調整する第６の調整部と、
前記第６の調整部で調整後の各光信号を合波する第２の合波部と、
前記第１の合波部で合波された光信号と前記第２の合波部で合波された光信号とを合波してプローブ用の光信号を生成して出力する出力部と
他の光伝送装置から前記プローブ用の光信号を受信した場合に、前記プローブ用の光信号から前記第１のパイロット信号、前記第２のパイロット信号、前記第３のパイロット信号及び前記第４のパイロット信号を抽出する抽出部と、
前記抽出部にて抽出された前記第１のパイロット信号、前記第２のパイロット信号、前記第３のパイロット信号及び前記第４のパイロット信号に基づき、群速度分散を含む偏波依存評価値を算出する算出部と
を有することを特徴とする光伝送装置。
【請求項１０】
光信号を偏波分離し、
前記偏波分離された各光信号の偏波方向が単一の偏波方向になるように前記偏波分離後の光信号を調整し、調整後の各光信号を合波し、
合波した光信号を分岐し、分岐した各光信号をパイロット信号で強度変調し、
前記強度変調後の各光信号の偏波方向が異なるように前記強度変調後の光信号を調整し、
前記強度変調後に調整後の各光信号を合波してプローブ用の光信号を生成して出力する
処理を実行するプローブ発生方法。
【発明の詳細な説明】
【技術分野】
【０００１】
本発明は、プローブ発生装置、光伝送装置及びプローブ発生方法に関する。
【背景技術】
【０００２】
例えば、通信事業者の大規模なバックボーンネットワーク等では、例えば、ＷＤＭ（波長分割多重：Wavelength  Division  Multiplexing）技術を適用した光ＮＷ（Network）が構築されている。ＷＤＭ技術は、光ファイバで接続されたノード間で、複数のユーザのトラフィックを異なる波長の光信号に収容し、複数の光信号を１本の光ファイバに多重して大容量で伝送する技術である。
【０００３】
ＷＤＭは、伝送距離等に応じて最適な変調方式が選択可能であるため、各変調方式が混在することになる。変調方式には、例えば、ＱＡＭ（直角位相振幅変調：Quadrature  Amplitude  Modulation）、ＤＭＴ（Discrete  MultiTone  Modulation）、ＱＰＳＫ（位相偏移変調：Quadrature  Phase  Shift  Keying)、ＲＺＱＰＳＫ（Return  to  Zero  QPSK）等がある。
【０００４】
ＷＤＭでは、例えば、エラー発生時に原因区間を特定する際、単純に光伝送路上のＯＳＮＲ(光信号対雑音比：Optical  Signal  to  Noise  Ratio)を測定するだけでは、光伝送路内の原因区間を評定できない。従って、伝送区間毎にＯＳＮＲを測定することで光伝送路内の原因区間を評定することになる。
【先行技術文献】
【特許文献】
【０００５】
【特許文献１】特開平９−１５３８６５号公報
【発明の概要】
【発明が解決しようとする課題】
【０００６】
しかしながら、ＯＳＮＲの測定は、実際に変調信号自体を受信し、受信したエラーを確認する方法もあるが、前述した通り、ＷＤＭで使用する変調方式が混在するため、変調方式に対応した受信器を要する。従って、ＷＤＭで使用する全ての変調方式に対応する受信器を要するため、現実性に乏しく、しかも、ＯＳＮＲを用いて原因区間を評定するのは困難である。
【０００７】
更に、ＷＤＭの高速の光信号では、ＰＤＬ（偏波依存損失：Polarization  Dependent  Loss）やＤＧＤ（微分群遅延差：Differential  Group  Delay）等の偏波依存の波形劣化要因がエラーの要因となる。従って、伝送区間毎のＯＳＮＲの測定のみでは評定できず、ＰＤＬやＤＧＤ等を測定することが求められている。
【０００８】
一つの側面では、伝送区間上のＰＤＬ及びＤＧＤ等の偏波依存評価値を測定可能とするプローブ用の光信号を出力できるプローブ発生装置、光伝送装置及びプローブ発生方法を提供することを目的とする。
【課題を解決するための手段】
【０００９】
一つの態様のプローブ発生装置は、分離部と、第１の調整部と、変調部と、第２の調整部と、出力部とを有する。分離部は、光信号を偏波分離する。第１の調整部は、前記分離部で偏波分離された各光信号の偏波方向が単一の偏波方向になるように前記偏波分離後の光信号を調整し、調整後の各光信号を合波する。変調部は、第１の調整部で合波した光信号を分岐し、分岐した各光信号をパイロット信号で強度変調する。第２の調整部は、変調部で強度変調後の各光信号の偏波方向が異なるように強度変調後の光信号を調整する。出力部は、第２の調整部で調整後の各光信号を合波してプローブ用の光信号を生成して出力する。
【発明の効果】
【００１０】
一つの側面として、伝送区間上のＰＤＬ及びＤＧＤ等の偏波依存評価値を測定可能とするプローブ用の光信号を出力できる。
【図面の簡単な説明】
【００１１】
【図１】図１は、実施例１の光伝送システムの一例を示す説明図である。
【図２】図２は、第１の光伝送装置内のＩＦカード＃２の一例を示すブロック図である。
【図３】図３は、第２の光伝送装置内のＩＦカード＃１Ｂ及び＃２Ｂの一例を示すブロック図である。
【図４】図４は、中継装置の一例を示すブロック図である。
【図５】図５は、第１の光伝送装置内のＩＦカード＃２の生成部の一例を示すブロック図である。
【図６】図６は、図５に示すパイロット信号生成部の一例を示すブロック図である。
【図７】図７は、パイロット信号の出力タイミングの一例を示す説明図である。
【図８】図８は、第１の光伝送装置内のＯＣＭの一例を示すブロック図である。
【図９】図９は、図８に示す第１の復調回路の一例を示すブロック図である。
【図１０】図１０は、ＰＤＬ及びＤＧＤの計測方法の一例を示す説明図である。
【図１１】図１１は、他の生成部の一例を示すブロック図である。
【図１２】図１２は、他の生成部の一例を示すブロック図である。
【図１３】図１３は、パイロット信号の出力タイミングの一例を示す説明図である。
【図１４】図１４は、ＰＤＬ、ＤＧＤ及びＧＶＤの計測方法の一例を示す説明図である。
【図１５】図１５は、実施例２の生成部の一例を示すブロック図である。
【図１６】図１６は、実施例２のＯＣＭの一例を示すブロック図である。
【図１７】図１７は、実施例２のパイロット信号の出力タイミングの一例を示す説明図である。
【図１８】図１８は、光伝送システムの評定方法の一例を示す説明図である。
【図１９】図１９は、実施例３の第１の計測モード及び第２の計測モードのタイミングの一例を示す説明図である。
【図２０】図２０は、実施例３の生成部の一例を示すブロック図である。
【図２１】図２１は、他の生成部の一例を示すブロック図である。
【図２２】図２２は、他の生成部の一例を示すブロック図である。
【図２３】図２３は、他のＩＦカードの一例を示すブロック図である。
【図２４】図２４は、リセット回路の一例を示す説明図である。
【発明を実施するための形態】
【００１２】
以下、図面に基づいて、本願の開示するプローブ発生装置、光伝送装置及びプローブ発生方法の実施例を詳細に説明する。尚、本実施例により、開示技術が限定されるものではない。また、以下に示す実施例は、矛盾を起こさない範囲で適宜組み合わせても良い。
【実施例１】
【００１３】
図１は、実施例１の光伝送システム１の一例を示す説明図である。図１に示す光伝送システム１は、複数の光伝送装置２と、中継装置３とを有する。複数の光伝送装置２としては、例えば、第１の光伝送装置２Ａと、第２の光伝送装置２Ｂと、第３の光伝送装置２Ｃとを有する。第１の光伝送装置２Ａは、第２の光伝送装置２Ｂとの間を光ファイバ４で接続し、第２の光伝送装置２Ｂとの間でＷＤＭ伝送を実行する。第２の光伝送装置２Ｂは、中継装置３との間を光ファイバ４で接続し、中継装置３との間でＷＤＭ伝送を実行する。中継装置３は、第３の光伝送装置２Ｃとの間を光ファイバ４で接続し、第３の光伝送装置２Ｃとの間でＷＤＭ伝送を実行する。
【００１４】
第１の光伝送装置２Ａは、複数のＩＦカード＃１〜＃ｎ、第２の光伝送装置２Ｂも、複数のＩＦカード＃１Ｂ及び＃２Ｂ、第３の光伝送装置２Ｃも、複数のＩＦカード＃１Ｃ〜＃ｎＣを有する。各ＩＦカード＃は、光ファイバ４と通信する通信インタフェース、いわゆるＤｅｇｒｅｅを構成する。
【００１５】
第１の光伝送装置２Ａ内のＩＦカード＃２は、光ファイバ４を通じて第２の光伝送装置２Ｂ内のＩＦカード＃１Ｂと接続する。第２の光伝送装置２Ｂ内のＩＦカード＃１Ｂは、第２の光伝送装置２Ｂ内のＩＦカード＃２Ｂと接続する。第２の光伝送装置２Ｂ内のＩＦカード＃２Ｂは、光ファイバ４を通じて中継装置３と接続する。第３の光伝送装置２Ｃ内のＩＦカード＃１Ｃは、光ファイバ４を通じて中継装置３と接続する。
【００１６】
図２は、第１の光伝送装置２Ａ内のＩＦカード＃２の一例を示すブロック図である。図２に示すＩＦカード＃２は、ＭＵＸ（Multiplexer）１１と、第１のＷＳＳ(波長選択スイッチ：Wavelength  Selector  Switch)１２と、送信アンプ１３と、ＯＳＷ(光スイッチ：Optical  Switch)１４と、生成部１５とを有する。更に、ＩＦカード＃２は、受信アンプ１６と、第２のＷＳＳ１７と、ＤＣＭ(分散補償モジュール：Dispersion  Compensation  Module)１８と、ＯＣＭ(光チャネルモニタ：Optical  Channel  Monitor)１９と、ＤＥＭＵＸ(Demultiplexer)２０とを有する。更に、ＩＦカード＃２は、ＯＳＣ(光監視チャネル：Optical  Supervisory  Channel)２１を有する。
【００１７】
ＭＵＸ１１は、新たな光信号を追加入力する。第１のＷＳＳ１２は、複数の波長の光信号を入力し、入力した複数波長の光信号を波長多重し、波長多重した光信号を出力する。尚、第１のＷＳＳ１２は、Ｎ個の入力ポート及び２個の出力ポートを有する。送信アンプ１３は、第１のＷＳＳ１２で波長多重した光信号を光増幅し、増幅した光信号を光ファイバ４に出力する。ＯＳＷ１４は、入力した光信号を切替出力する光スイッチである。生成部１５は、特定波長の光信号を用いて、後述するプローブ用の光信号を生成し、生成したプローブ用の光信号を第１のＷＳＳ１２に出力する。尚、プローブ用の光信号は、例えば、ＰＤＬ及びＤＧＤ等の偏波依存評価値を算出するのに用いる。
【００１８】
受信アンプ１６は、光ファイバ４から受信した波長多重の光信号を光増幅する。ＤＣＭ１８は、波長多重の光信号から各波長の光パワーを検出し、検出した各波長の光パワーに基づき、受信アンプ１６の光増幅率を制御する。第２のＷＳＳ１７は、受信アンプ１６で増幅した波長多重の光信号から任意の波長の光信号に分離して出力する。尚、第２のＷＳＳ１７は、Ｎ個の出力ポート及び１個の入力ポートを有する。ＤＥＭＵＸ２０は、分離した光信号から特定波長の光信号を分離出力する。ＯＣＭ１９は、受信したプローブ用の光信号から監視対象の伝送区間上のＰＤＬ及びＤＧＤを算出する。ＯＣＭ１９は、受信した特定波長の光信号の光パワーから監視対象の伝送区間上のＯＳＮＲを算出する。更に、ＯＣＭ１９は、算出したＯＳＮＲ、ＰＤＬ及びＤＧＤを、例えば、ＯＳＣ２１を通じて図示せぬ監視端末に通知する。
【００１９】
図３は、第２の光伝送装置２Ｂ内のＩＦカード＃１Ｂ及び＃２Ｂの一例を示すブロック図である。尚、説明の便宜上、図２に示すＩＦカード＃２と同一の構成には同一符号を付すことで、その重複する構成及び動作の説明については省略する。図３に示すＩＦカード＃１Ｂ及びＩＦカード＃２Ｂは、ＭＵＸ１１と、第１のＷＳＳ１２と、送信アンプ１３と、ＯＳＷ１４と、生成部１５とを有する。更に、ＩＦカード＃１Ｂは、受信アンプ１６と、第２のＷＳＳ１７と、ＤＣＭ１８と、ＯＣＭ１９と、ＤＥＭＵＸ２０と、ＯＳＣ２１とを有する。
【００２０】
ＩＦカード＃２Ｂの受信アンプ１６は、光ファイバ４を通じて第１の光伝送装置２Ａ内のＩＦカード＃２と接続し、ＩＦカード＃２から波長多重の光信号を入力し、入力した光信号を光増幅する。更に、ＩＦカード＃２Ｂの送信アンプ１３は、光ファイバ４を通じて第１の光伝送装置２Ａ内のＩＦカード＃２と接続し、ＩＦカード＃２内の受信アンプ１６に波長多重の光信号を出力する。
【００２１】
ＩＦカード＃１Ｂ内の第２のＷＳＳ１７は、ＩＦカード＃２Ｂ内の第１のＷＳＳ１２と接続し、波長分離した光信号をＩＦカード＃２Ｂ内の第１のＷＳＳ１２に出力する。更に、ＩＦカード＃２Ｂの送信アンプ１３は、光ファイバ４を通じて中継装置３と接続し、第１のＷＳＳ１２で波長多重した光信号を光増幅し、増幅した光信号を中継装置３に出力する。
【００２２】
ＩＦカード＃２Ｂ内の受信アンプ１６は、光ファイバ４を通じて中継装置３と接続し、中継装置３からの波長多重の光信号を増幅し、増幅した光信号を第２のＷＳＳ１７に入力する。ＩＦカード＃２Ｂ内の第２のＷＳＳ１７は、ＩＦカード＃１Ｂ内の第１のＷＳＳ１２と接続し、波長分離した光信号をＩＦカード＃１Ｂ内の第１のＷＳＳ１２に出力する。
【００２３】
図４は、中継装置３の一例を示すブロック図である。図４に示す中継装置３は、図１に示すように第２の光伝送装置２Ｂと第３の光伝送装置２Ｃとの間で波長多重の光信号を中継する中継装置である。中継装置３は、第１のＯＳＣ３１Ａと、第２のＯＳＣ３１Ｂと、第１の受信アンプ３２Ａと、第１のＤＣＭ３３Ａと、第２の送信アンプ３４Ａと、第１のＯＣＭ３５Ａと、第１のＯＳＷ３６Ａとを有する。中継装置３は、第２の受信アンプ３２Ｂと、第２のＤＣＭ３３Ｂと、第２の送信アンプ３４Ｂと、第２のＯＣＭ３５Ｂと、第２のＯＳＷ３６Ｂとを有する。
【００２４】
第１の受信アンプ３２Ａは、光ファイバ４を通じて第２の光伝送装置２Ｂと接続し、第２の光伝送装置２Ｂから受信した波長多重の光信号を光増幅し、増幅した光信号を第１の送信アンプ３４Ａに出力する。第１のＤＣＭ３３Ａは、第２の光伝送装置２Ｂから受信した波長多重の光信号内の各波長の光パワーを検出し、検出した各波長の光パワーに基づき、第１の受信アンプ３２Ａの光増幅率を制御する。
【００２５】
第１の送信アンプ３４Ａは、光ファイバ４を通じて第３の光伝送装置２Ｃと接続し、第１の受信アンプ３２Ａで増幅した波長多重の光信号を光増幅し、増幅した光信号を第３の光伝送装置２Ｃ内の受信アンプ１６に出力する。第１のＯＣＭ３５Ａは、第１のＯＳＷ３６Ａで光分岐したプローブ用の光信号に基づき、例えば、ＰＤＬ及びＤＧＤを算出する。更に、第１のＯＣＭ３５Ａは、ＰＤＬ及びＤＧＤを監視端末に通知する。
【００２６】
第２の受信アンプ３２Ｂは、光ファイバ４を通じて第３の光伝送装置２Ｃと接続し、第３の光伝送装置２Ｃから受信した波長多重の光信号を光増幅し、増幅した光信号を第２の送信アンプ３４Ｂに出力する。第２のＤＣＭ３３Ｂは、第３の光伝送装置２Ｃから受信した波長多重の光信号内の各波長の光パワーを検出し、検出した各波長の光パワーに基づき、第２の受信アンプ３２Ｂの光増幅率を制御する。
【００２７】
第２の送信アンプ３４Ｂは、光ファイバ４を通じて第２の光伝送装置２Ｂと接続し、第２の受信アンプ３２Ｂで増幅した波長多重の光信号を光増幅し、増幅した光信号を第２の光伝送装置２Ｂ内の受信アンプ１６に出力する。第２のＯＣＭ３５Ｂは、第２のＯＳＷ３６Ｂで光分岐したプローブ用の光信号に基づき、例えば、ＰＤＬ及びＤＧＤを算出する。更に、第２のＯＣＭ３５Ｂは、ＰＤＬ及びＤＧＤを監視端末に通知する。
【００２８】
図５は、第１の光伝送装置２Ａ内のＩＦカード＃２の生成部１５の一例を示すブロック図である。尚、説明の便宜上、図５に示す生成部１５は、第１の光伝送装置２Ａ内のＩＦカード＃２に内蔵した生成部１５について説明するが、他のＩＦカードの生成部１５や他の光伝送装置２のＩＦカードの生成部１５も同一の構成である。従って、同一の構成には同一符号を付すことで、その重複する構成及び動作の説明については省略する。
【００２９】
図５に示す生成部１５は、可変ＬＤ（Laser  Diode）４１と、外部入力部４２と、光分岐部４３と、偏波分離部４４と、第１の９０度回転部４５と、合波部４６とを有する。生成部１５は、光分岐部４７と、第１のＩＭ（強度変調部：Intensity  Modulator）４８と、第２のＩＭ４９と、第２の９０度回転部５０と、偏波合波部５１と、偏波回転部５２と、レベル検出部５３と、パイロット信号生成部５４とを有する。尚、生成部１５は、例えば、プローブ発生装置である。
【００３０】
外部入力部４２は、例えば、光ファイバ４と接続し、エラー発生時にエラー発生した波長の光信号を光分岐部４３に出力する。可変ＬＤ４１は、通常運用時に未使用の波長の光信号を光分岐部４３に出力する。偏波分離部４４は、光分岐部４３からの可変ＬＤ４１又は外部入力部４２の特定波長の光信号を直線偏波に分離し、分離した各光信号を合波部４６及び第１の９０度回転部４５に出力する。尚、偏波分離部４４は、例えば、分離部である。第１の９０度回転部４５は、分離した光信号を９０度回転し、回転後の光信号を合波部４６に出力する。合波部４６は、偏波分離部４４からの光信号と、第１の９０度回転部４５の回転後の光信号とを合波し、一つの偏波方向になるように光信号の偏波方向を揃えて、その合波した光信号を光分岐部４７に出力する。尚、第１の９０度回転部４５及び合波部４６は、例えば、第１の調整部である。偏波分離部４４、第１の９０度回転部４５及び合波部４６は、光信号の偏波方向を特定方向に矯正し、如何なる偏波方向の光信号が入力された場合でも、単一の偏波方向にすることで出力を安定化できる。
【００３１】
光分岐部４７は、合波部４６からの光信号を光分岐し、光分岐した各光信号を第１のＩＭ４８及び第２のＩＭ４９に出力する。尚、光分岐部４７、第１のＩＭ４８及び第２のＩＭ４９は、例えば、変調部である。パイロット信号生成部５４は、光分岐部４７で光分岐した光信号を強度変調する第１のパイロット信号ｆ１及び第２のパイロット信号ｆ２を生成する。尚、パイロット信号は、主信号である光信号に対して十分低速の低周波数の信号である。
【００３２】
第１のＩＭ４８は、光分岐部４７で光分岐した光信号をパイロット信号生成部５４からの第１のパイロット信号ｆ１で強度変調し、第１のパイロット信号ｆ１で強度変調後の光信号を偏波合波部５１に出力する。尚、第１のパイロット信号ｆ１で強度変調後の光信号は、後述するＣＤＭＡコード“Ｘ”でＰＡＴＨＩＤ“Ａ”のパターンを重畳している。第２のＩＭ４９は、光分岐部４７で光分岐した光信号をパイロット信号生成部５４からの第２のパイロット信号ｆ２で強度変調し、第２のパイロット信号ｆ２で強度変調後の光信号を第２の９０度回転部５０に出力する。尚、第２のパイロット信号ｆ２で強度変調後の光信号は、ＣＤＭＡコード“Ｙ”でＰＡＴＨＩＤ“Ｂ”のパターンを重畳している。
【００３３】
第２の９０度回転部５０は、第２のＩＭ４９で強度変調後の光信号を９０度回転し、９０度回転後の光信号を偏波合波部５１に出力する。尚、第２の９０度回転部５０は、例えば、第２の調整部である。偏波合波部５１は、第１のＩＭ４８で強度変調後の光信号と、第２の９０度回転部５０で９０度回転後の強度変調後の光信号とを偏波合波し、偏波合波した光信号を偏波回転部５２に出力する。偏波回転部５２は、パイロット信号の周波数未満の周波数ｆｒを用いて、偏波合波部５１からの光信号を０度〜９０度の間で回転してプローブ用の光信号を出力する。尚、偏波合波部５１及び偏波回転部５２は、例えば、出力部である。その結果、生成部１５は、ＯＣＭ１９側でＰＬＤ及びＤＧＤが算出可能な第１のパイロット信号ｆ１及び第２のパイロット信号ｆ２を含むプローブ用の光信号を出力する。
【００３４】
レベル検出部５３は、第１のＩＭ４８で強度変調後の光信号と、第２のＩＭ４９で強度変調後の光信号との出力レベルが同一レベルになるように、第１のＩＭ４８及び第２のＩＭ４９に入力するパイロット信号を生成するパイロット信号生成部５４を制御する。
【００３５】
図６は、図５に示すパイロット信号生成部５４の一例を示すブロック図である。図６に示すパイロット信号生成部５４は、発振器６１と、ＦＰ生成部６２と、第１のＰ／Ｓ（Parallel/Serial）６３Ａと、第１の乗算部６４Ａと、第１の駆動部６５Ａとを有する。パイロット信号生成部５４は、第２のＰ／Ｓ６３Ｂと、第２の乗算部６４Ｂと、第２の駆動部６５Ｂとを有する。パイロット信号生成部５４は、例えば、生成部である。発振器６１は、所定周波数のクロック信号ＣＫを発振する。ＦＰ（Frame  Pulse）生成部６２は、発振器６１からのクロック信号ＣＫに基づき、ＰＡＴＨＩＤ“Ａ”のパターンを重畳するパルス信号を生成すると共に、ＰＡＴＨＩＤ“Ｂ”のパターンを重畳するパルス信号を生成する。尚、ＰＡＴＨＩＤは、監視対象の伝送区間を識別するＩＤである。第１のＰ／Ｓ６３Ａは、発振器６１からのクロック信号ＣＫに応じてＰＡＴＨＩＤ“Ａ”を符号化する並列データのＣＤＭＡ（符号分割多元接続：Code  Division  Multiple  Access）コードをシリアル変換する。更に、第１のＰ／Ｓ６３Ａは、そのシリアルビット列のＣＤＭＡコード“Ｘ”を第１の乗算部６４Ａに出力する。
【００３６】
第１の乗算部６４Ａは、第１のＰ／Ｓ６３Ａからのシリアルビット列のＣＤＭＡコード“Ｘ”と、ＰＡＴＨＩＤ“Ａ”のパターン及びパルス信号とを乗算する。そして、第１の乗算部６４Ａは、ＣＤＭＡコード“Ｘ”で符号化したＰＡＴＨＩＤ“Ａ”のパターンを重畳した第１のパイロット信号ｆ１を生成する。第１の駆動部６５Ａは、第１の乗算部６４Ａで生成した第１のパイロット信号ｆ１に基づき、光分岐部４７で光分岐した光信号を強度変調すべく、第１のＩＭ４８を駆動制御する。
【００３７】
また、第２のＰ／Ｓ６３Ｂは、発振器６１からのクロック信号ＣＫに応じてＰＡＴＨＩＤ“Ｂ”のパターンを符号化する並列データのＣＤＭＡコード“Ｙ”をシリアル変換し、シリアルビット列のＣＤＭＡコード“Ｙ”を第２の乗算部６４Ｂに出力する。第２の乗算部６４Ｂは、第２のＰ／Ｓ６３Ｂからのシリアルビット列のＣＤＭＡコード“Ｙ”と、ＰＡＴＨＩＤ“Ｂ”のパターン及びパルス信号とを乗算する。そして、第２の乗算部６４Ｂは、ＣＤＭＡコード“Ｙ”で符号化したＰＡＴＨＩＤ“Ｂ”のパターンを重畳した第２のパイロット信号ｆ２を生成する。第２の駆動部６５Ｂは、第２の乗算部６４Ｂで生成した第２のパイロット信号ｆ２に基づき、光分岐部４７で光分岐した光信号を強度変調すべく、第２のＩＭ４９を駆動制御する。
【００３８】
図７は、パイロット信号の出力タイミングの一例を示す説明図である。図７に示すＰＡＴＨＩＤ“Ａ”の第１のパイロット信号ｆ１のタイミング周期Ｔ１は１／ｆ１であるのに対し、ＰＡＴＨＩＤ“Ｂ”の第２のパイロット信号ｆ２のタイミング周期Ｔ２は１／ｆ２である。第１のパイロット信号ｆ１及び第２のパイロット信号ｆ２は、先頭部分に先頭パターンＦを配置し、先頭パターンＦから第１のパイロット信号ｆ１及び第２のパイロット信号ｆ２を同一タイミングで出力する。その後、第１のパイロット信号ｆ１は、タイミング周期Ｔ１で順次出力する。第２のパイロット信号ｆ２は、タイミング周期Ｔ２で順次出力する。
【００３９】
図８は、第１の光伝送装置２Ａ内のＯＣＭ１９内の一例を示すブロック図である。尚、説明の便宜上、図８に示すＯＣＭ１９は、第１の光伝送装置２Ａ内のＩＦカード＃２に内蔵したＯＣＭ１９について説明するが、他のＩＦカードのＯＣＭ１９や他の光伝送装置２のＯＣＭ１９も同一の構成である。従って、同一の構成には同一符号を付すことで、その重複する構成及び動作の説明については省略する。また、中継装置３内の第１のＯＣＭ３５Ａや第２のＯＣＭ３５ＢもＯＣＭ１９と同一の構成であるため、その重複する説明については省略する。
【００４０】
図８に示すＯＣＭ１９は、第１のモニタ部１９１と、第２のモニタ部１９２とを有する。第１のモニタ部１９１は、波長多重の光信号の内、該当波長の光信号の光パワーと、波長多重の光信号の光パワーとに基づき、該当波長の光信号のＯＳＮＲを算出する。第１のモニタ部１９１は、同調フィルタ７１と、第１のＰＤ(Photo  Diode)７２Ａと、第２のＰＤ７２Ｂと、第１のＡＤＣ(Analog  Digital  Converter)７３Ａと、第２のＡＤＣ７３Ｂと、ＣＰＵ（Central  Processing  Unit）７４とを有する。同調フィルタ７１は、波長多重の光信号から該当波長の光信号を抽出する。第１のＰＤ７２Ａは、同調フィルタ７１で抽出した光信号を電気変換した電気信号で光パワーを検出する。第１のＡＤＣ７３Ａは、第１のＰＤ７２Ａで検出した光パワーをデジタル変換する。第２のＰＤ７２Ｂは、波長多重の光信号を電気変換した電気信号で光パワーを検出する。第２のＡＤＣ７３Ｂは、第２のＰＤ７２Ｂで検出した光パワーをデジタル変換する。ＣＰＵ７４は、第１のＡＤＣ７３Ａで変換した光パワーと、第２のＡＤＣ７３Ｂで変換した光パワーとに基づき、光波長毎のＯＳＮＲを算出する。
【００４１】
更に、第２のモニタ部１９２は、プローブ用の光信号から伝送区間上のＰＤＬ及びＤＧＤを算出する。第２のモニタ部１９２は、プレアンプ８１Ａと、コンデンサ８２と、ポストアンプ８１Ｂと、第１の復調回路８３Ａと、第１のＢＰＦ(Band  Pass  Filter)８４Ａと、第１のＡＤＣ８５Ａとを有する。更に、第２のモニタ部１９２は、第２の復調回路８３Ｂと、第２のＢＰＦ８４Ｂと、第２のＡＤＣ８５Ｂと、ＰＤＬ演算部８６と、検出部８７と、ＤＧＤ演算部８８と、パス識別部８９とを有する。プレアンプ８１Ａは、第１のＰＤ７２Ａで電気変換した光信号の電気信号を増幅する。コンデンサ８２は、増幅した電気信号の雑音成分をカットする。ポストアンプ８１Ｂは、雑音成分除去後の電気信号を増幅する。
【００４２】
第１の復調回路８３Ａは、ポストアンプ８１Ｂで増幅した電気信号からＣＤＭＡコード“Ｘ”を用いてＰＡＴＨＩＤ“Ａ”のパターン及びパルス信号成分を復調する。第１のＢＰＦ８４Ａは、復調したパルス信号成分から第１のパイロット信号ｆ１を抽出する。尚、第１の復調回路８３Ａ及び第１のＢＰＦ８４Ａは、例えば、抽出部である。第１のＡＤＣ８５Ａは、第１のＢＰＦ８４Ａで抽出した第１のパイロット信号ｆ１をデジタル変換する。
【００４３】
第２の復調回路８３Ｂは、ポストアンプ８１Ｂで増幅した電気信号からＣＤＭＡコード“Ｙ”を用いてＰＡＴＨＩＤ“Ｂ”のパターン及びパルス信号成分を復調する。第２のＢＰＦ８４Ｂは、復調したパルス信号成分から第２のパイロット信号ｆ２を抽出する。尚、第２の復調回路８３Ｂ及び第２のＢＰＦ８４Ｂは、例えば、抽出部である。第２のＡＤＣ８５Ｂは、第２のＢＰＦ８４Ｂで抽出した第２のパイロット信号ｆ２をデジタル変換する。
【００４４】
ＰＤＬ演算部８６は、第１のＡＤＣ８５Ａでデジタル変換された第１のパイロット信号ｆ１と第２のＡＤＣ８５Ｂでデジタル変換された第２のパイロット信号ｆ２とに基づき、ＰＤＬを算出する。尚、ＰＤＬ演算部８６は、ＰＡＴＨＩＤのパターンに応じてパイロット信号の強度に変化があるため、そのパターンに応じた補正処理を実行する。ＰＤＬ演算部８６は、例えば、算出部である。検出部８７は、ＰＡＴＨＩＤ“Ａ”の先頭パターンＦ及びＰＡＴＨＩＤ“Ｂ”の先頭パターンＦを検出する。ＤＧＤ演算部８８は、ＰＡＴＨＩＤ“Ａ”の先頭パターンＦとＰＡＴＨＩＤ“Ｂ”の先頭パターンＦとの差分で遅延差を算出する。更に、ＤＧＤ演算部８８は、算出した遅延差と、第１のパイロット信号ｆ１と、第２のパイロット信号ｆ２とに基づき、ＤＧＤを算出する。尚、ＤＧＤ演算部８８は、例えば、算出部である。パス識別部８９は、検出部８７を通じて各パイロット信号ｆ１、ｆ２のＰＡＴＨＩＤを識別する。
【００４５】
図９は、図８に示す第１の復調回路８３Ａの一例を示すブロック図である。尚、第２の復調回路８３Ｂも、第１の復調回路８３Ａとほぼ同一の構成であるため、同一符号を付すことで、その重複する構成及び動作の説明については省略する。図９に示す第１の復調回路８３Ａは、ＬＰＦ(Low  Pass  Filter)９１と、トーン抽出部９２と、Ｐ／Ｓ９３と、ＰＬＬ(位相同期回路：Phase  Locked  Loop)９４と、乗算器９５とを有する。ＬＰＦ９１は、ポストアンプ８１Ｂの電気信号からパイロット信号に相当する低周波成分を抽出する。トーン抽出部９２は、順次抽出する低周波数成分のタイミングを抽出する。ＰＬＬ９４は、トーン抽出部９２で抽出した低周波数成分のタイミングに同期したパイロット信号のクロック信号を出力する。Ｐ／Ｓ９３は、ＰＬＬ９４からのクロック信号に基づき、復調するＣＤＭＡコードをシリアルビット列に変換し、変換したＣＤＭＡコードのシリアルビット列を乗算器９５に入力する。乗算器９５は、ＣＤＭＡコードに基づき、ＬＰＦ９１で抽出した信号成分からＰＡＴＨＩＤのパターン及びパルス信号成分を復調出力する。
【００４６】
図１０は、ＰＬＤ及びＤＧＤの計測方法の一例を示す説明図である。図１０に示すＸ軸側にＰＡＴＨＩＤ“Ａ”の第１のパイロット信号ｆ１、Ｙ軸側にＰＡＴＨＩＤ“Ｂ”の第２のパイロット信号ｆ２が現れる。ＰＤＬ演算部８６は、第１のパイロット信号ｆ１の最大振幅値及び第２のパイロット信号ｆ２の最大振幅値に基づき、ＰＤＬを算出できる。ＤＧＤ演算部８８は、第１のパイロット信号ｆ１の最大振幅値と第２のパイロット信号ｆ２の最大振幅値との時間差でＤＧＤを算出する。
【００４７】
実施例１の生成部１５は、光信号を偏波分離し、偏波分離した各光信号が単一の偏波方向に揃えて合波した後、合波した光信号を光分岐し、光分岐した各光信号に各パイロット信号で強度変調する。更に、生成部１５は、強度変調した各光信号の偏波方向が異なるように光信号同士を合波してプローブ用の光信号を出力する。その結果、生成部１５は、ＰＤＬ及びＤＧＤ等の偏波依存評価値を測定可能とするプローブ用の光信号を出力できる。
【００４８】
ＯＣＭ１９は、プローブ用の光信号から第１のパイロット信号ｆ１及び第２のパイロット信号ｆ２を抽出し、抽出した各パイロット信号に基づき、ＰＤＬ及びＤＧＤを算出する。その結果、ＯＣＭ１９は、プローブ用の光信号内のパイロット信号を用いて、各種変調方式が混在した場合でも、伝送区間上のＰＤＬ及びＤＧＤを算出できる。
【００４９】
ＯＣＭ１９は、プローブ用の光信号内の各パイロット信号のＰＡＴＨＩＤを識別することで、光伝送システム１内で予定のＰＡＴＨＩＤの区間を確実に通過しているか否かを確認できる。その結果、光ファイバ４の接続ミスの有無を確認できる。更に、ＯＣＭ１９は、プローブ用の光信号内の第１のパイロット信号ｆ１及び第２のパイロット信号ｆ２を用いて、伝送区間上の信号劣化要因となるＰＤＬ及びＤＧＤを算出できる。
【００５０】
生成部１５は、可変ＬＤ４１と外部入力部４２とを光分岐する光分岐部４３を例示し、エラー発生時にエラー発生の波長の光信号をプローブ用の光信号として外部入力部４２から入力すると共に、通常の運用時に未使用の波長の光信号を可変ＬＤ４１から入力する。生成部１５は、エラー発生時にエラー発生の波長の光信号を外部入力部４２から入力した場合、エラー発生の波長の光信号を用いてプローブ用の光信号を生成する。その結果、ＯＣＭ１９は、プローブ用の光信号を用いてエラー発生の波長のＰＤＬ及びＤＧＤを算出できる。
【００５１】
生成部１５は、通常の運用時に未使用の波長の光信号を可変ＬＤ４１から入力した場合、未使用の波長の光信号を用いてプローブ用の光信号を生成する。その結果、ＯＣＭ１９は、プローブ用の光信号を用いて伝送区間上のＰＤＬ及びＤＧＤを算出できる。
【００５２】
上記実施例１の生成部１５は、外部入力部４２から光信号を入力する場合、可変ＬＤ４１からの光信号を停止するために可変ＬＤ４１をＯＦＦにする必要がある。しかしながら、生成部１５は、可変ＬＤ４１をＯＮ／ＯＦＦする機能が備えていない場合もある。そこで、このような事態に対処すべく、次に説明する生成部１５Ａを備えるようにしても良い。図１１は、他の生成部１５Ａの一例を示すブロック図である。図１１に示す生成部１５Ａは、光分岐部４３の代わりに、可変ＬＤ４１及び外部入力部４２からの光信号を切替出力するＯＳＷ５５Ａを備えた。生成部１５Ａは、外部入力部４２からエラー発生の波長の光信号をＰＤ５６Ａ及びＯＳＷ５５Ａに光分岐する光分岐部５７Ａを備えた。ＰＤ５６Ａは、外部入力部４２からエラー発生の波長の光信号の存在有無を検出する。ＯＳＷ５５Ａは、ＰＤ５６Ａで外部入力部４２からエラー発生の波長の光信号を検出した場合、外部入力部４２からのエラー発生の波長の光信号を偏波分離部４４に出力する。
【００５３】
図１１に示す生成部１５Ａは、可変ＬＤ４１をＯＮ中に、外部入力部４２から光信号を検出した場合、ＯＳＷ５５Ａを通じて外部入力部４２からの光信号を切替出力できるため、可変ＬＤ４１をＯＮ／ＯＦＦする機能がなくても済む。
【００５４】
図１２は、他の生成部１５Ｂの一例を示すブロック図である。尚、説明の便宜上、図１１に示す生成部１５Ａと同一の構成には同一符号を付すことで、その重複する構成及び動作の説明については省略する。図１２に示す生成部１５Ｂは、外部入力部４２と光分岐部５７Ａとの間に同調フィルタ（Tunable  Filter）５８Ａを配置した。同調フィルタ５８Ａは、外部入力部４２からの波長多重の光信号からエラー発生の波長の光信号を抽出する。ＰＤ５６Ａは、同調フィルタ５８Ａからエラー発生の波長の光信号を検出する。ＯＳＷ５５Ａは、ＰＤ５６Ａで外部入力部４２からエラー発生の波長の光信号を検出した場合、外部入力部４２からのエラー発生の波長の光信号を偏波分離部４４に出力する。
【００５５】
図１２に示す生成部１５Ｂは、ＷＤＭの波長多重の光信号から、同調フィルタ５８Ａを通じてエラー発生の波長の光信号を抽出し、抽出したエラー発生の光信号を用いてプローブ用の光信号を生成できる。
【００５６】
尚、上記実施例１では、図７に示すように、ＰＡＴＨＩＤ“Ａ”の第１のパイロット信号ｆ１及びＰＡＴＨＩＤ“Ｂ”の第２のパイロット信号ｆ２の最初の出力タイミングに先頭パターンＦを配置した。しかしながら、先頭パターンＦを配置しなくても、ＰＡＴＨＩＤ“Ａ”のパターンのパルス信号の最初から２個分のパルス信号を先頭パターンＦの代わりに使用しても良い。図１３は、パイロット信号の出力タイミングの一例を示す説明図である。図１３においてＰＡＴＨＩＤ“Ａ”の第１のパイロット信号ｆ１のタイミング周期Ｔ１（Ｔ１＝１／ｆ１）、ＰＡＴＨＩＤ“Ｂ”の第２のパイロット信号ｆ２のタイミング周期Ｔ２（Ｔ２＝１／ｆ２）とする。第１のパイロット信号ｆ１と第２のパイロット信号ｆ２とで最初２個分のパルス信号を先頭パターンとして使用する。第１のパイロット信号ｆ１及び第２のパイロット信号ｆ２は、最初２個分のパルス信号を同一タイミングで出力する。その後、第１のパイロット信号ｆ１は、タイミング周期Ｔ１で順次出力する。第２のパイロット信号ｆ２は、タイミング周期Ｔ２で順次出力する。図１３に示す第１のパイロット信号ｆ１はＴ１周期で出力し、第２のパイロット信号はＴ２周期で出力することで、ＤＧＤを演算できるまでの周期（Ｎ×Ｔ１＝Ｍ×Ｔ２）を確保すれば、先頭パターンＦを配置しなくても、ＤＧＤをＯＣＭ１９側で算出できる。尚、Ｎ≠Ｍとする。
【００５７】
上記実施例１では、第１のパイロット信号の周波数ｆ１と、第２のパイロット信号の周波数ｆ２とは異なる場合を例示したが、同一周波数であっても良い。
【００５８】
上記実施例１では、偏波分離部４４からの光信号と、第１の９０度回転部４５から９０度回転後の光信号とを第１の調整部で調整後の光信号とするが、偏波分離部４４からの各光信号を４５度回転して単一の偏波方向になるように調整しても良い。
【００５９】
更に、上記実施例１では、第１のＩＭ４８からの光信号と、第２のＩＭ４９からの光信号を第２の９０度回転部５０で回転後の光信号とを第２の調整部で調整後の光信号とした。しかしながら、第２の９０度回転部５０を第２のＩＭ４９の後段の代わりに、第１のＩＭ４８の後段に配置し、第２の９０度回転部５０で回転後の第１のＩＭ４８からの光信号と、第２のＩＭ４９からの光信号とを第２の調整部で調整後の光信号としても良い。また、第１のＩＭ４８及び第２のＩＭ４９からの各光信号の偏波方向が異なるように両方の光信号を調整するようにしても良い。
【００６０】
上記実施例１の第２のモニタ部１９２は、プローブ用の光信号からＰＬＤ及びＤＧＤを算出可能にしたが、ＧＶＤ(群速度分散：Group  Velocity  Dispersion)を算出できない。図１４は、ＰＬＤ、ＤＧＤ及びＧＶＤの計測方法の一例を示す説明図である。図１４に示すＸ軸側にＰＡＴＨＩＤ“Ａ”の第１のパイロット信号ｆ１、Ｙ軸側にＰＡＴＨＩＤ“Ｂ”の第２のパイロット信号ｆ２、Ｐ軸側にＰＡＴＨＩＤ“Ｃ”の第３のパイロット信号ｆ３及びＱ軸側にＰＡＴＨＩＤ“Ｄ”の第４のパイロット信号ｆ４が現れる。ＧＶＤは、第１のパイロット信号ｆ１の最大振幅値のタイミングと、第３のパイロット信号ｆ３の最大振幅値のタイミングとの間の遅延差で得る。ＧＶＤは、第２のパイロット信号ｆ２の最大振幅値のタイミングと、第４のパイロット信号ｆ４の最大振幅値のタイミングとの間の遅延差で得る。つまり、異なる２本の波長の光信号を用いて、４本のパイロット信号を確保する必要がある。そこで、伝送区間上のＧＶＤを算出できる実施の形態につき、実施例２として以下に説明する。
【実施例２】
【００６１】
図１５は、実施例２の生成部１５Ｃの一例を示すブロック図である。尚、説明の便宜上、図５に示す生成部１５と同一の構成には同一符号を付すことで、その重複する構成及び動作の説明については省略する。図１５に示す生成部１５Ｃは、第１の生成部１０１と、第２の生成部１０２と、波長合波部１０３と、偏波回転部５２とを有する。尚、第１の生成部１０１と第２の生成部１０２とは、異なる２本の波長を利用してプローブ用の光信号を生成する。
【００６２】
第１の生成部１０１は、第１の可変ＬＤ４１Ａと、第１の外部入力部４２Ａと、第１の光分岐部４３Ａと、第１の偏波分離部４４Ａと、第１の９０度回転部４５Ａと、第１の合波部４６Ａとを有する。第１の生成部１０１は、第２の光分岐部４７Ａと、第１のＩＭ４８Ａと、第２のＩＭ４９Ａと、第２の９０度回転部５０Ａと、第１の偏波合波部５１Ａと、第１のレベル検出部５３Ａと、第１のパイロット信号生成部５４Ａとを有する。
【００６３】
第１の外部入力部４２Ａは、エラー発生時にエラー発生した波長の光信号を第１の光分岐部４３Ａに出力する。第１の可変ＬＤ４１Ａは、通常運用時に未使用の波長の光信号を第１の光分岐部４３Ａに出力する。
【００６４】
第１の偏波分離部４４Ａは、第１の光分岐部４３Ａを通じて第１の可変ＬＤ４１Ａ又は第１の外部入力部４２Ａから特定波長の光信号を直線偏波に分離し、分離した光信号を第１の合波部４６Ａ及び第１の９０度回転部４５Ａに出力する。尚、第１の偏波分離部４４Ａは、例えば、第１の分離部である。第１の９０度回転部４５Ａは、第１の偏波分離部４４Ａから偏波分離された光信号を９０度回転し、回転後の光信号を第１の合波部４６Ａに出力する。第１の合波部４６Ａは、第１の偏波分離部４４Ａからの光信号と、第１の９０度回転部４５Ａからの光信号とを合波し、単一の偏波方向になるように光信号の偏波方向を揃え、その合波した光信号を第２の光分岐部４７Ａに出力する。尚、第１の９０度回転部４５Ａ及び第１の合波部４６Ａは、例えば、第３の調整部である。
【００６５】
第２の光分岐部４７Ａは、第１の合波部４６Ａからの光信号を光分岐し、光分岐した光信号を第１のＩＭ４８Ａ及び第２のＩＭ４９Ａに出力する。第１のパイロット信号生成部５４は、第２の光分岐部４７Ａで光分岐した光信号を強度変調するための第１のパイロット信号ｆ１及び第２のパイロット信号ｆ２を生成する。尚、第１のパイロット信号ｆ１及び第２のパイロット信号ｆ２は、同一周波数若しくは異なる周波数であっても良い。
【００６６】
第１のＩＭ４８Ａは、第２の光分岐部４７Ａで光分岐した光信号を第１のパイロット信号生成部５４Ａからの第１のパイロット信号ｆ１で強度変調し、第１のパイロット信号ｆ１で強度変調後の光信号を第１の偏波合波部５１Ａに出力する。尚、第１のパイロット信号ｆ１で強度変調後の光信号は、ＣＤＭＡコード“Ｘ”でＰＡＴＨＩＤ“Ａ”のパターンを重畳している。第２のＩＭ４９Ａは、第２の光分岐部４７Ａで光分岐した光信号を第１のパイロット信号生成部５４Ａからの第２のパイロット信号ｆ２で強度変調し、第２のパイロット信号ｆ２で強度変調後の光信号を第２の９０度回転部５０Ａに出力する。尚、第２のパイロット信号ｆ２で強度変調後の光信号は、ＣＤＭＡコード“Ｙ”でＰＡＴＨＩＤ“Ｂ”のパターンを重畳している。尚、第２の光分岐部４７Ａ、第１のＩＭ４８Ａ及び第２のＩＭ４９Ａは、例えば、第１の変調部である。
【００６７】
第２の９０度回転部５０Ａは、第２のＩＭ４９Ａからの強度変調後の光信号を９０度回転し、９０度回転後の光信号を第１の偏波合波部５１Ａに出力する。尚、第２の９０度回転部５０Ａは、例えば、第４の調整部である。第１の偏波合波部５１Ａは、第１のＩＭ４８Ａで強度変調後の光信号と、第２の９０度回転部５０Ａで９０度回転後の強度変調後の光信号とを偏波合波し、偏波合波した光信号を波長合波部１０３に出力する。尚、第１の偏波合波部５１Ａは、例えば、第１の合波部である。
【００６８】
第２の生成部１０２は、第２の可変ＬＤ４１Ｂと、第２の外部入力部４２Ｂと、第３の光分岐部４３Ｂと、第２の偏波分離部４４Ｂと、第３の９０度回転部４５Ｂと、第２の合波部４６Ｂとを有する。第２の生成部１０２は、第４の光分岐部４７Ｂと、第３のＩＭ４８Ｂと、第４のＩＭ４９Ｂと、第４の９０度回転部５０Ｂと、第２の偏波合波部５１Ｂと、第２のレベル検出部５３Ｂと、第２のパイロット信号生成部５４Ｂとを有する。
【００６９】
第２の外部入力部４２Ｂは、エラー発生時にエラー発生した波長の光信号を第３の光分岐部４３Ｂに出力する。尚、第２の外部入力部４２Ｂの光信号は、第１の外部入力部４２Ａ及び第１の可変ＬＤ４１Ａの光信号と異なる波長である。第２の可変ＬＤ４１Ｂは、通常運用時に未使用の波長の光信号を第３の光分岐部４３Ｂに出力する。尚、第２の可変ＬＤ４１Ｂの光信号は、第１の外部入力部４２Ａ及び第１の可変ＬＤ４１Ａの光信号と異なる波長である。
【００７０】
第２の偏波分離部４４Ｂは、第３の光分岐部４３Ｂを通じて第２の可変ＬＤ４１Ｂ又は第２の外部入力部４２Ｂから特定波長の光信号を直線偏波に分離し、分離した光信号を第２の合波部４６Ｂ及び第３の９０度回転部４５Ｂに出力する。尚、第２の偏波分離部４４Ｂは、例えば、第２の分離部である。第３の９０度回転部４５Ｂは、第２の偏波分離部４４Ｂから偏波分離された光信号を９０度回転し、回転後の光信号を第２の合波部４６Ｂに出力する。第２の合波部４６Ｂは、第２の偏波分離部４４Ｂからの光信号と、第３の９０度回転部４５Ｂからの光信号とを合波し、一つの偏波方向になるように光信号の偏波方向を揃え、その合波した光信号を第４の光分岐部４７Ｂに出力する。尚、第３の９０度回転部４５Ｂ及び第２の合波部４６Ｂは、例えば、第５の調整部である。
【００７１】
第４の光分岐部４７Ｂは、第２の合波部４６Ｂからの光信号を光分岐し、光分岐した各光信号を第３のＩＭ４８Ｂ及び第４のＩＭ４９Ｂに出力する。尚、第４の光分岐部４７Ｂ、第３のＩＭ４８Ｂ及び第４のＩＭ４９Ｂは、例えば、第２の変調部である。第２のパイロット信号生成部５４Ｂは、第４の光分岐部４７Ｂで光分岐した光信号を強度変調するための第３のパイロット信号ｆ３及び第４のパイロット信号ｆ４を生成する。尚、第１〜第４のパイロット信号は、同一周波数若しくは異なる周波数であっても良い。
【００７２】
第３のＩＭ４８Ｂは、第４の光分岐部４７Ｂで光分岐した光信号を第２のパイロット信号生成部５４Ｂからの第３のパイロット信号ｆ３で強度変調し、第３のパイロット信号ｆ３で強度変調後の光信号を第２の偏波合波部５１Ｂに出力する。尚、第３のパイロット信号ｆ３で強度変調後の光信号は、ＣＤＭＡコード“Ｐ”でＰＡＴＨＩＤ“Ｃ”のパターンを重畳している。第４のＩＭ４９Ｂは、第４の光分岐部４７Ｂで光分岐した光信号を第２のパイロット信号生成部５４Ｂからの第４のパイロット信号ｆ４で強度変調し、第４のパイロット信号ｆ４で強度変調後の光信号を第４の９０度回転部５０Ｂに出力する。尚、第４のパイロット信号ｆ４で強度変調後の光信号は、ＣＤＭＡコード“Ｑ”でＰＡＴＨＩＤ“Ｄ”のパターンを重畳している。
【００７３】
第４の９０度回転部５０Ｂは、第４のＩＭ４９Ｂからの強度変調後の光信号を９０度回転し、９０度回転後の光信号を第２の偏波合波部５１Ｂに出力する。尚、第４の９０度回転部５０Ｂは、例えば、第６の調整部である。第２の偏波合波部５１Ｂは、第３のＩＭ４８Ｂで強度変調後の光信号と、第４の９０度回転部５０Ｂで９０度回転後の第４のＩＭ４９Ｂで強度変調後の光信号とを偏波合波し、偏波合波した光信号を波長合波部１０３に出力する。尚、第２の偏波合波部５１Ｂは、例えば、第２の合波部である。
【００７４】
波長合波部１０３は、第１の偏波合波部５１Ａからの光信号と第２の偏波合波部５１Ｂからの光信号とを合波し、合波した光信号を偏波回転部５２に出力する。偏波回転部５２は、パイロット信号の周波数未満の周波数ｆｒを用いて、波長合波部１０３からの光信号を０度〜９０度の間で回転してプローブ用の光信号を出力する。尚、波長合波部１０３及び偏波回転部５２は、例えば、出力部である。
【００７５】
図１６は、実施例２のＯＣＭ１９Ａの一例を示すブロック図である。尚、説明の便宜上、図８に示すＯＣＭ１９と同一の構成には同一符号を付すことで、その重複する構成及び動作の説明については省略する。図１６に示すＯＣＭ１９Ａは、第１のモニタ部１９１と、第３のモニタ部１９３とを有する。
【００７６】
図１６に示す第３のモニタ部１９３は、第１〜第４の復調回路８３Ａ〜８３Ｄと、第１〜第４のＢＰＦ８４Ａ〜８４Ｄと、第１〜第４のＡＤＣ８５Ａ〜８５Ｄとを有する。更に、第３のモニタ部１９３は、ＰＤＬ演算部８６Ａと、検出部８７Ａと、ＤＧＤ／ＧＶＤ演算部８８Ａと、パス識別部８９Ａとを有する。
【００７７】
第１の復調回路８３Ａは、ポストアンプ８１Ｂで増幅した電気信号からＣＤＭＡコード“Ｘ”を用いてＰＡＴＨＩＤ“Ａ”のパターン及びパルス信号成分を復調する。第１のＢＰＦ８４Ａは、復調したパルス信号成分から第１のパイロット信号ｆ１を抽出する。第１のＡＤＣ８５Ａは、第１のＢＰＦ８４Ａで抽出した第１のパイロット信号ｆ１をデジタル変換する。
【００７８】
第２の復調回路８３Ｂは、ポストアンプ８１Ｂで増幅した電気信号からＣＤＭＡコード“Ｙ”を用いてＰＡＴＨＩＤ“Ｂ”のパターン及びパルス信号成分を復調する。第２のＢＰＦ８４Ｂは、復調したパルス信号成分から第２のパイロット信号ｆ２を抽出する。第２のＡＤＣ８５Ｂは、第２のＢＰＦ８４Ｂで抽出した第２のパイロット信号ｆ２をデジタル変換する。
【００７９】
第３の復調回路８３Ｃは、ポストアンプ８１Ｂで増幅した電気信号からＣＤＭＡコード“Ｐ”を用いてＰＡＴＨＩＤ“Ｃ”のパターン及びパルス信号成分を復調する。第３のＢＰＦ８４Ｃは、復調したパルス信号成分から第３のパイロット信号ｆ３を抽出する。第３のＡＤＣ８５Ｃは、第３のＢＰＦ８４Ｃで抽出した第３のパイロット信号ｆ３をデジタル変換する。
【００８０】
第４の復調回路８３Ｄは、ポストアンプ８１Ｂで増幅した電気信号からＣＤＭＡコード“Ｑ”を用いてＰＡＴＨＩＤ“Ｄ”のパターン及びパルス信号成分を復調する。第４のＢＰＦ８４Ｄは、復調したパルス信号成分から第４のパイロット信号ｆ４を抽出する。第４のＡＤＣ８５Ｄは、第４のＢＰＦ８４Ｄで抽出した第４のパイロット信号ｆ４をデジタル変換する。
【００８１】
ＰＤＬ演算部８６Ａは、図１４に示すように、第１のパイロット信号ｆ１と第２のパイロット信号ｆ２とに基づき、ＰＤＬを算出する。ＰＤＬ演算部８６Ａは、第３のパイロット信号ｆ３と第４のパイロット信号ｆ４とに基づき、ＰＤＬを算出する。つまり、ＰＤＬ演算部８６Ａは、２波長分のＰＤＬを算出できる。検出部８７Ａは、ＰＡＴＨＩＤ“Ａ”、ＰＡＴＨＩＤ“Ｂ”、ＰＡＴＨＩＤ“Ｃ”及びＰＡＴＨＩＤ“Ｄ”の先頭パターンＦを検出する。ＤＧＤ／ＧＶＤ演算部８８Ａは、ＰＡＴＨＩＤ“Ａ”の先頭パターン、ＰＡＴＨＩＤ“Ｂ”の先頭パターン、ＰＡＴＨＩＤ“Ｃ”の先頭パターン及びＰＡＴＨＩＤ“Ｄ”の先頭パターンに基づき遅延差を算出する。更に、ＤＧＤ／ＧＶＤ演算部８８Ａは、算出した遅延差と、図１４に示すように第１のパイロット信号ｆ１及び第２のパイロット信号ｆ２とに基づき、ＤＧＤを算出する。ＤＧＤ／ＧＶＤ演算部８８Ａは、遅延差、第３のパイロット信号ｆ３及び第４のパイロット信号ｆ４に基づき、ＤＧＤを算出する。つまり、ＤＧＤ／ＧＶＤ演算部８８Ａは、２波長分のＤＧＤを算出できる。
【００８２】
ＤＧＤ／ＧＶＤ演算部８８Ａは、図１４に示すように、第１のパイロット信号ｆ１と第３のパイロット信号ｆ３とに基づき、ＧＶＤを算出する。更に、ＤＧＤ／ＧＶＤ演算部８８Ａは、第２のパイロット信号ｆ２と第４のパイロット信号ｆ４とに基づき、ＧＶＤを算出する。パス識別部８９Ａは、検出部８７Ａにて検出した各パイロット信号ｆ１〜ｆ４の各ＰＡＴＨＩＤを識別する。
【００８３】
実施例２の生成部１５Ｃは、第１の波長の光信号を偏波分離し、偏波分離した各光信号が単一の偏波方向に揃えて合波した後、合波した光信号を光分岐し、光分岐した各光信号に各パイロット信号で強度変調する。更に、生成部１５Ｃは、強度変調した各光信号の偏波方向が異なるように光信号同士を第１の偏波合波部５１Ａで合波する。更に、生成部１５Ｃは、第２の波長の光信号を偏波分離し、偏波分離した各光信号が単一の偏波方向に揃えて合波した後、合波した光信号を光分岐し、光分岐した各光信号に各パイロット信号で強度変調する。更に、生成部１５Ｃは、強度変調した各光信号の偏波方向が異なるように光信号同士を第２の偏波合波部５１Ｂで合波する。更に、生成部１５Ｃは、第１の偏波合波部５１Ａで合波された光信号と第２の偏波合波部５１Ｂで合波された光信号とを合波してプローブ用の光信号を出力する。その結果、生成部１５Ｃは、ＰＤＬ及びＤＧＤは勿論のこと、ＧＶＤを測定可能とするプローブ用の光信号を出力できる。
【００８４】
ＯＣＭ１９Ａは、プローブ用の光信号から第１〜第４のパイロット信号ｆ１〜ｆ４を抽出し、抽出した第１及び第３のパイロット信号ｆ１、ｆ３に基づきＧＶＤを算出すると共に、第２及び第４のパイロット信号ｆ２、ｆ４に基づきＧＶＤを算出する。その結果、ＯＣＭ１９Ａは、生成部１５Ｃからのプローブ用の光信号を用いてＧＶＤを算出できる。
【００８５】
図１７は、実施例２のパイロット信号の出力タイミングの一例を示す説明図である。尚、第１のパイロット信号ｆ１の周期Ｔ１は１／ｆ１、第２のパイロット信号ｆ１の周期Ｔ２は１／ｆ２、第３のパイロット信号ｆ３の周期Ｔ３は１／ｆ３、第４のパイロット信号ｆ４の周期Ｔ４は１／ｆ４とする。生成部１５Ｃは、第１〜第４のパイロット信号の第１回目の送信タイミングで各パイロット信号の先頭パターンＦに合わせて出力する。その後、各パイロット信号は、パイロット信号に応じたタイミング周期で順次出力する。
【００８６】
図１８は、光伝送システム１内の評定方法の一例を示す説明図である。図１８に示す光伝送システム１内の各光伝送装置２内のＯＣＭ１９Ａは、光伝送装置２内の各生成部１５Ｃで生成したプローブ用の光信号から各伝送区間上のＰＤＬ、ＧＶＤ、ＤＧＤ及びＯＳＮＲを算出する。更に、図示せぬ監視端末は、各ＯＣＭ１９Ａから伝送区間（ＰＡＴＨＩＤ）毎のＰＤＬ、ＧＶＤ、ＤＧＤ及びＯＳＮＲを収集する。監視端末は、伝送区間単位で、ＰＤＬ、ＧＶＤ、ＤＧＤやＯＳＮＲ毎に、伝送区間の各パスの変調方式のタイプに応じた許容範囲を超えたか否かを判定し、許容範囲を超えた場合、伝送区間のエラーと評定する。
【００８７】
実施例２のＯＣＭ１９Ａは、プローブ用の光信号内のＰＡＴＨＩＤを識別することで、光伝送システム１内で予定のＰＡＴＨＩＤの区間を確実に通過しているか否かを確認できる。更に、ＯＣＭ１９Ａは、プローブ用の光信号内の第１〜第４のパイロット信号ｆ１〜ｆ４を用いて、伝送区間上の信号劣化要因となるＰＤＬ、ＤＧＤ及びＧＶＤを算出できる。
【００８８】
尚、上記実施例１及び２では、波長多重の波長毎の信号パワーでＯＳＮＲを算出するようにしたが、プローブ用の光信号を用いてＯＳＮＲを算出しても良く、この場合の実施の形態につき、実施例３として以下に説明する。
【実施例３】
【００８９】
図１９は、実施例３の第１の計測モード及び第２の計測モードのタイミングの一例を示す説明図である。実施例３の生成部１５Ｄは、図１９に示すように第１の計測モードＭ１と、第２の計測モードＭ２とを周期的に切替可能にする。第１の計測モードＭ１は、プローブ用の光信号をＯＮにし、プローブ用の光信号を用いて伝送区間上のＰＤＬやＤＧＤ等を算出するモードである。更に、第１の計測モードＭ１は、プローブ用の光信号を用いて、プローブ用の光信号の該当波長の光パワーＰｓｉｇを算出するモードである。第２の計測モードＭ２は、プローブ用の光信号をＯＦＦにし、プローブ用の光信号がなしの場合のＡＳＥ（自然放出光：Amplified  Spontaneous  Emission）の光パワーＰａｓｅを算出するモードである。ＯＣＭ１９のＣＰＵ７４は、第１の計測モードＭ１で算出した光パワーＰｓｉｇ及び、第２の計測モードＭ２で算出した光パワーＰａｓｅに基づき、Ｐｓｉｇ／Ｐａｓｅで該当波長のＯＳＮＲを算出するものである。尚、第１の計測モードＭ１及び第２の計測モードＭ２のタイミング周期Ｔ０は、第１のパイロット信号のタイミング周期Ｔ１及び第２のパイロット信号のタイミング周期Ｔ２よりも長い。また、第１の計測モードＭ１及び第２の計測モードＭ２のタイミング周期Ｔ０は、第３のパイロット信号のタイミング周期Ｔ３及び第４のパイロット信号のタイミング周期Ｔ４よりも長い。
【００９０】
生成部は、プローブ用の光信号をＯＮ／ＯＦＦ制御する必要がある。そこで、プローブ用の光信号をＯＮ／ＯＦＦ制御する生成部１５Ｄについて説明する。図２０は、実施例３の生成部１５Ｄの一例を示すブロック図である。尚、説明の便宜上、図１２に示す生成部１５Ｂと同一の構成には同一符号を付すことで、その重複する構成及び動作の説明については省略する。
【００９１】
図２０に示す生成部１５Ｄと図１２に示す生成部１５Ｂとが異なるところは、ＯＳＷ５５Ａと偏波分離部４４との間に配置され、ＯＳＷ５５Ａからの光信号を遮断するＶＯＡ（Variable  Optical  Attenuator）５９と、ＶＯＡ制御部６０とを有する点にある。尚、ＶＯＡ５９は、急峻な変化を回避するため、ミリ秒オーダ以下で光信号をＯＮ／ＯＦＦする。
【００９２】
ＶＯＡ制御部６０は、計測モードに応じてＶＯＡ５９を制御する。ＶＯＡ制御部６０は、現在の計測モードが第１の計測モードＭ１の場合、プローブ用の光信号をＯＮすべく、ＶＯＡ５９をＯＦＦ制御する。その結果、ＶＯＡ５９は、ＯＦＦ制御に応じてＯＳＷ５５Ａからの光信号を出力する。
【００９３】
ＶＯＡ制御部６０は、現在の計測モードが第２の計測モードＭ２の場合、プローブ用の光信号をＯＦＦすべく、ＶＯＡ５９をＯＮ制御すると共に、第２の計測モードＭ２をパイロット信号生成部５４に通知する。その結果、ＶＯＡ５９は、ＯＮ制御に応じてＯＳＷ５５Ａからの光信号を遮断する。ＰＤ５６Ａは、外部入力部４２からの同調フィルタ５８Ａを通じて伝送区間のエラー発生の波長の光信号の存在有無を検出する。
【００９４】
パイロット信号生成部５４は、ＰＤ５６Ａにてエラー発生の波長の光信号の存在を検出した場合、すなわち、伝送区間内にプローブ用の光信号以外に少なくとも１本以上の光信号が存在する場合に、プローブ用の光信号のＯＮ／ＯＦＦ制御を実行する。パイロット信号生成部５４は、ＰＤ５６Ａにてエラー発生の波長の光信号の存在なしを検出した場合、すなわち、伝送区間内にプローブ用の光信号以外に少なくとも１本以上の光信号が存在しない場合、プローブ用の光信号のＯＮ／ＯＦＦ制御を禁止する。
【００９５】
尚、ＯＮ／ＯＦＦ制御を禁止する理由は、伝送区間内にプローブ用の光信号以外に１本以上の光信号が存在しない場合にプローブ用の光信号がＯＦＦした場合、１本も光信号が存在しなくなるため、伝送区間上の光アンプがシャットダウンするためである。
【００９６】
ＯＣＭ１９は、パス識別部８９ＡでＰＡＴＨＩＤの識別有無で現在の計測モードが第１の計測モードＭ１又は第２の計測モードＭ２を認識し、その計測モードをＣＰＵ７４に通知する。つまり、パス識別部８９Ａは、ＰＡＴＨＩＤを識別した場合、現在の計測モードを第１の計測モードＭ１と認識し、その第１の計測モードＭ１をＣＰＵ７４に通知する。また、パス識別部８９Ａは、ＰＡＴＨＩＤを識別できなかった場合、現在の計測モードを第２の計測モードＭ２と認識し、第２の計測モードＭ２をＣＰＵ７４に通知する。
【００９７】
生成部１５Ｄは、ＶＯＡ５９をＯＦＦ制御した場合、プローブ用の光信号を出力する。尚、生成部１５Ｄは、第１の計測モードＭ１の場合、ＰＡＴＨＩＤのパターンの他に、ＯＳＮＲ監視対象の該当波長をパイロット信号に含めてプローブ用の光信号を出力する。その結果、伝送区間上の各ＯＣＭ１９は、第１の計測モードＭ１を認識した場合、プローブ用の光信号を受信し、受信したプローブ用の光信号を用いてＰＤＬ及びＤＧＤを算出する。更に、ＯＣＭ１９は、受信したプローブ用の光信号を用いて、ＯＳＮＲ監視対象の該当波長のパワーＰｓｉｇを算出する。
【００９８】
更に、生成部１５Ｄは、ＶＯＡ５９をＯＮ制御した場合、プローブ用の光信号の出力を停止する。その結果、伝送区間上の各ＯＣＭ１９は、第２の計測モードＭ２を認識した場合、プローブ用の光信号以外の他の光信号を受信し、伝送路区間上のＡＳＥレベルのパワーＰａｓｅを算出する。
【００９９】
ＯＣＭ１９内のＣＰＵ７４は、該当波長のパワーＰｓｉｇ及びパワーＰａｓｅに基づき、ＯＳＮＲ監視対象の該当波長のＯＳＮＲを算出する。その結果、各ＯＣＭ１９は、プローブ用の光信号を用いて、伝送区間上の該当波長のＯＳＮＲを算出できる。
【０１００】
実施例３の生成部１５Ｄは、第１の計測モードＭ１の場合、プローブ用の光信号をＯＮすべく、ＶＯＡ５９をＯＦＦ制御する。その結果、ＯＣＭ１９は、プローブ用の光信号を用いてＰＤＬ及びＤＧＤを算出すると共に、プローブ用の光信号の該当波長の光パワーＰｓｉｇを算出する。更に、生成部１５Ｄは、第２の計測モードＭ２の場合、プローブ用の光信号をＯＦＦすべく、ＶＯＡ５９をＯＮ制御する。その結果、ＯＣＭ１９は、プローブ用の光信号を受信できず、プローブ用の光信号無しの光パワーＰａｓｅを算出する。そして、ＯＣＭ１９は、プローブ用の光信号を用いて、Ｐｓｉｇ／Ｐａｓｅに基づき該当波長のＯＳＮＲを算出できる。
【０１０１】
実施例３のＯＣＭ１９は、プローブ用の光信号内のＰＡＴＨＩＤを用いて、光伝送システム１内で予定ＰＡＴＨＩＤの区間を確実に通過しているか否かを確認できる。更に、ＯＣＭ１９は、プローブ用の光信号内の第１〜第２のパイロット信号ｆ１、ｆ２に基づき、伝送区間上の信号劣化要因となるＰＤＬ及びＤＧＤを算出できる。更に、ＯＣＭ１９は、プローブ用の光信号のＯＮ／ＯＦＦ、すなわち、該当波長の光信号の有無に応じて光パワーＰｓｉｇ及び光パワーＰａｓｅを算出し、Ｐｓｉｇ／Ｐａｓｅで該当波長のＯＳＮＲを算出できる。
【０１０２】
実施例３の生成部１５Ｄでは、プローブ用の光信号をＯＦＦすべく、偏波分離部４４の前段のＶＯＡ５９で光信号を遮断した。しかしながら、第１のＩＭ４８及び第２のＩＭ４９に十分な光阻止能力がある場合、第１のＩＭ４８及び第２のＩＭ４９の強度変調をＯＦＦすることで、ＶＯＡ５９の代わりに、プローブ用の光信号の出力をＯＦＦするようにしても良い。
【０１０３】
尚、実施例３の生成部１５Ｄでは、プローブ用の光信号をＯＮ／ＯＦＦすることになるため、プローブ用の光信号に使用する光信号は運用中の光信号の使用を禁止するようにしても良い。
【０１０４】
図２１は、他の生成部１５Ｅの一例を示すブロック図である。尚、説明の便宜上、図２０に示す生成部１５Ｄと同一の構成には同一符号を付すことで、その重複する構成及び動作の説明については省略する。生成部１５Ｄと生成部１５Ｅとが異なるところは、同調フィルタ５８Ａで抽出した光信号を分岐する光分岐部５７Ａと、可変ＬＤ４１の光信号を分岐する光分岐部５７Ｂと、光分岐部５７Ａと光分岐部５７Ｂとの間に配置したＶＯＡ５９とを有する点にある。
【０１０５】
ＶＯＡ制御部６０は、現在の計測モードが第１の計測モードＭ１の場合、プローブ用の光信号をＯＮすべく、ＶＯＡ５９をＯＦＦ制御する。その結果、ＶＯＡ５９は、ＯＦＦ制御に応じて光分岐部５７Ａからの光信号を出力する。ＶＯＡ制御部６０は、現在の計測モードが第２の計測モードＭ２の場合、プローブ用の光信号をＯＦＦすべく、ＶＯＡ５９をＯＮ制御する。その結果、ＶＯＡ５９は、ＯＮ制御に応じて光分岐部５７Ａからの光信号を遮断する。
【０１０６】
生成部１５Ｅは、第１の計測モードＭ１の場合、プローブ用の光信号をＯＮすべく、ＶＯＡ５９をＯＦＦ制御する。その結果、ＯＣＭ１９は、プローブ用の光信号を用いてＰＤＬ及びＤＧＤを算出すると共に、プローブ用の光信号の該当波長の光パワーＰｓｉｇを算出する。更に、生成部１５Ｅは、第２の計測モードＭ２の場合、プローブ用の光信号をＯＦＦすべく、ＶＯＡ５９をＯＮ制御する。その結果、ＯＣＭ１９は、プローブ用の光信号を受信できず、プローブ用の光信号無しの光パワーＰａｓｅを算出する。そして、ＯＣＭ１９は、プローブ用の光信号を用いて、Ｐｓｉｇ／Ｐａｓｅに基づき該当波長のＯＳＮＲを算出できる。
【０１０７】
図２０及び図２１に示す生成部１５Ｄ及び１５Ｅは、ＰＤＬ、ＤＧＤ及びＯＳＮＲを算出できるが、ＧＶＤを算出できない。そこで、ＰＤＬ、ＤＧＤ及びＯＳＮＲの他に、ＧＶＤを算出できる生成部１５Ｆについて説明する。図２２は、他の生成部１５Ｆの一例を示す説明図である。尚、説明の便宜上、図１５に示す生成部１５Ａと同一の構成には同一符号を付すことで、その重複する構成及び動作の説明については省略する。
【０１０８】
図２３に示す生成部１５Ｆは、第１の生成部１０１Ａと、第２の生成部１０２Ａと、波長合成部１０３と、偏波回転部５２とを有する。尚、第１の生成部１０１Ａと第２の生成部１０２Ａとは、異なる２本の波長を利用してプローブ用の光信号を生成する。
【０１０９】
第１の生成部１０１Ａは、第１の同調フィルタ５８Ａと、第１の光分岐部５７Ａと、第１のＯＳＷ５５Ａと、第１のＰＤ５６Ａと、第１のＶＯＡ５９Ａと、第１のＶＯＡ制御部６０Ａとを有する。第１の同調フィルタ５８Ａは、第１の外部入力部４２Ａから特定波長の光信号を抽出する。第１の光分岐部５７Ａは、第１の同調フィルタ５８Ａで抽出した光信号を光分岐する。第１のＯＳＷ５５Ａは、第１の可変ＬＤ４１Ａ又は第１の光分岐部５７Ａからの光信号を切替出力する。第１のＰＤ５６Ａは、第１の光分岐部５７Ａで光分岐した光信号を検出する。第１のＶＯＡ５９Ａは、第１のＯＳＷ５５Ａと第１の偏波分離部４４Ａとの間に配置され、第１のＯＳＷ５５Ａから第１の偏波分離部４４Ａへの光信号を遮断する。第１のＶＯＡ制御部６０Ａは、第１のＶＯＡ５９Ａを制御する。
【０１１０】
第１のＶＯＡ制御部６０Ａは、現在の計測モードが第２の計測モードＭ２の場合、プローブ用の光信号をＯＦＦすべく、第１のＶＯＡ５９ＡをＯＮ制御すると共に、第２の計測モードＭ２を第１のパイロット信号生成部５４Ａに通知する。その結果、第１のＶＯＡ５９Ａは、ＯＮ制御に応じて第１のＯＳＷ５５Ａから第１の偏波分離部４４Ａへの光信号を遮断する。第１のＰＤ５６Ａは、第１の外部入力部４２Ａからの第１の同調フィルタ５８Ａを通じて伝送区間のエラー発生の波長の光信号の存在有無を検出する。
【０１１１】
第１のパイロット信号生成部５４Ａは、第１のＰＤ５６Ａにてエラー発生の波長の光信号の存在を検出した場合、すなわち、伝送区間内にプローブ用の光信号以外に少なくとも１本以上の光信号が存在する場合に、プローブ用の光信号のＯＮ／ＯＦＦ制御を実行する。第１のパイロット信号生成部５４Ａは、第１のＰＤ５６Ａにて光信号の存在なしを検出した場合、すなわち、伝送区間内にプローブ用の光信号以外に少なくとも１本以上の光信号が存在しない場合、プローブ用の光信号のＯＮ／ＯＦＦ制御を禁止する。
【０１１２】
第２の生成部１０２Ａは、第２の同調フィルタ５８Ｂと、第３の光分岐部５７Ｂと、第２のＯＳＷ５５Ｂと、第２のＰＤ５６Ｂと、第２のＶＯＡ５９Ｂと、第２のＶＯＡ制御部６０Ｂとを有する。第２の同調フィルタ５８Ｂは、第２の外部入力部４２Ｂから特定波長の光信号を抽出する。第３の光分岐部５７Ｂは、第２の同調フィルタ５８Ｂで抽出した光信号を光分岐する。第２のＯＳＷ５５Ｂは、第２の可変ＬＤ４１Ｂ又は第３の光分岐部５７Ｂからの光信号を切替出力する。更に、第２のＰＤ５６Ｂは、第３の光分岐部５７Ｂで光分岐した光信号を検出する。第２のＶＯＡ５９Ｂは、第２のＯＳＷ５５Ｂと第２の偏波分離部４４Ｂとの間に配置され、第２のＯＳＷ５５Ｂから第２の偏波分離部４４Ｂへの光信号を遮断する。第２のＶＯＡ制御部６０Ｂは、第２のＶＯＡ５９Ｂを制御する。
【０１１３】
第２のＶＯＡ制御部６０Ｂは、現在の計測モードが第２の計測モードＭ２の場合、プローブ用の光信号をＯＦＦすべく、第２のＶＯＡ５９ＢをＯＮ制御すると共に、第２の計測モードＭ２を第２のパイロット信号生成部５４Ｂに通知する。その結果、第２のＶＯＡ５９Ｂは、ＯＮ制御に応じて第２のＯＳＷ５５Ｂから第２の偏波分離部４４Ｂへの光信号を遮断する。第２のＰＤ５６Ｂは、第２の外部入力部４２Ｂからの第２の同調フィルタ５８Ｂを通じて伝送区間のエラー発生の波長の光信号の存在有無を検出する。
【０１１４】
第２のパイロット信号生成部５４Ｂは、第２のＰＤ５６Ｂにてエラー発生の波長の光信号の存在を検出した場合、すなわち、伝送区間内にプローブ用の光信号以外に少なくとも１本以上の光信号が存在する場合に、プローブ用の光信号のＯＮ／ＯＦＦ制御を実行する。第２のパイロット信号生成部５４Ｂは、第２のＰＤ５６Ｂにて光信号の存在なしを検出した場合、すなわち、伝送区間内にプローブ用の光信号以外に少なくとも１本以上の光信号が存在しない場合、プローブ用の光信号のＯＮ／ＯＦＦ制御を禁止する。
【０１１５】
第１の生成部１０１Ａは、第１のＶＯＡ５９ＡをＯＮ制御した場合、第１のパイロット信号及び第２のパイロット信号の光信号を波長合波部１０３に出力する。第２の生成部１０２Ａは、第２のＶＯＡ５９ＢをＯＮ制御した場合、第３のパイロット信号及び第４のパイロット信号の光信号を波長合波部１０３に出力する。波長合波部１０３は、第１の生成部１０１Ａからの光信号と第２の生成部１０２Ａからの光信号とを合波し、合波した光信号を偏波回転部５２に出力する。偏波回転部５２は、光信号を回転してプローブ用の光信号を出力する。
【０１１６】
生成部１５Ｆは、第１のＶＯＡ５９Ａ及び第２のＶＯＡ５９ＢをＯＦＦ制御した場合、プローブ用の光信号を出力する。その結果、伝送区間上の各ＯＣＭ１９は、プローブ用の光信号を受信し、受信したプローブ用の光信号を用いてＰＤＬ、ＤＧＤ及びＧＶＤを算出できる。この際、ＯＣＭ１９は、生成部１５Ｆからのプローブ用の光信号を用いて該当波長のパワーＰｓｉｇを算出する。更に、生成部１５Ｆは、第１のＶＯＡ５９Ａ及び第２のＶＯＡ５９ＢをＯＮ制御した場合、プローブ用の光信号の出力を停止する。その結果、伝送区間上の各ＯＣＭ１９は、プローブ用の光信号以外の他の光信号を受信し、伝送区間上のＡＳＥレベルのパワーＰａｓｅを算出する。ＯＣＭ１９内のＣＰＵ７４は、該当波長のパワーＰｓｉｇ及びパワーＰａｓｅに基づき、ＯＳＮＲを算出する。その結果、各ＯＣＭ１９は、伝送区間上のＯＳＮＲを測定できる。
【０１１７】
また、プローブ用の光信号のＯＮ／ＯＦＦ制御時の信号断による光アンプのシャットダウンを防止するために、常時、１本のダミーの光信号を光伝送路上に挿入するようにしても良い。
【０１１８】
前述した通り、光伝送路で光信号の断が生じた場合、光アンプがシャットダウンするため、第１の生成部１０１Ａ及び第２の生成部１０２Ａでプローブ用の光信号を交互にＯＮ／ＯＦＦし、どちらか一方の光信号をＯＮにしても良い。例えば、第１の生成部１０１Ａの使用波長のプローブ用の光信号がＯＮ（第１の計測モード）の場合、第２の生成部１０２Ａの使用波長のプローブ用の光信号をＯＦＦ（第２の計測モード）にする。この際、ＯＣＭ１９では、第１の生成部１０１Ａの使用波長の信号パワーＰｓｉｇを算出すると共に、第２の生成部１０２Ａの使用波長なしの信号パワーＰａｓｅを算出する。更に、第１の生成部１０２Ａの使用波長のプローブ用の光信号をＯＮの場合、第１の生成部１０１Ａの使用波長のプローブ用の光信号をＯＦＦにする。この際、ＯＣＭ１９では、第２の生成部１０２Ａの使用波長の信号パワーＰｓｉｇを算出すると共に、第１の生成部１０１Ａの使用波長なしの信号パワーＰａｓｅを算出する。その結果、第１の生成部１０１Ａ及び第２の生成部１０２Ａのプローブ用の光信号のＯＮ／ＯＦＦを交互に制御するため、プローブ用の光信号のＯＮ／ＯＦＦ制御時の信号断によるシャットダウンを防止できる。
【０１１９】
尚、上記実施例では、プローブ用の光信号内の各パイロット信号のＰＡＴＨＩＤをＣＤＭＡコードで符号化したので、各パイロット信号を異なる周波数に設定しなくても良いが、異なる周波数を使用することでパイロット信号の分離が容易になる。
【０１２０】
また、上記実施例では、異なるＣＤＭＡコードで各パイロット信号を符号化したが、プローブ用の光信号内の各パイロット信号を異なる周波数に設定しているため、同一のＣＤＭＡコードで符号化しても良い。
【０１２１】
上記実施例のＯＣＭ１９では、第１のモニタ部１０１内に同調フィルタ５８を内蔵しているため、同調フィルタ５８で監視対象のプローブ用の光信号の波長を選択している場合にのみ、ＰＤＬ及びＤＧＤの算出及びＰＡＴＨＩＤの識別を実行するようにしても良い。
【０１２２】
上記実施例では、エラー発生の波長の光信号や未使用の波長の光信号を用いてプローブ用の光信号を生成した。しかしながら、強度変調するパイロット信号が低周波数であるため、パイロット信号が運用中の光信号に与える影響を小さく、運用中の光信号を用いてプローブ用の光信号を生成しても良い。
【０１２３】
上記実施例のＩＦカードでは、出力ポート２個×入力ポートＮ個の第１のＷＳＳ１２及び出力ポートＮ個×入力ポート２個の第２のＷＳＳ１７を例示した。しかしながら、出力ポート１個×入力ポートＮ個の第１のＷＳＳ１２Ａや出力ポートＮ個×入力ポート１個の第２のＷＳＳ１７Ａの場合にも適用できる。図２３は、他のＩＦカードの一例を示すブロック図である。
【０１２４】
図２３に示すＩＦカードは、第１のＷＳＳ１２Ａの入力段にＯＳＷ１４Ａを配置し、ＯＳＷ１４Ａで光分岐した光信号を第１のＷＳＳ１２Ａ及び生成部１５に入力する。ＯＳＷ１４Ａは、光分岐した光信号を生成部１５に入力する。その結果、生成部１５は、出力ポートが１個の第１のＷＳＳ１２Ａでもプローブ用の光信号に用いる波長の光信号を取得できるため、本ＩＦカードにも本願を適用できる。
【０１２５】
また、上記実施例では、ＯＣＭ１９内に第２のモニタ部１９２を内蔵した場合を例示したが、第２のモニタ部１９２を単独で光伝送装置２や中継装置３等に内蔵しても良い。
【０１２６】
上記実施例では、プローブ用の光信号の第１のパイロット信号ｆ１の最大振幅値と第２のパイロット信号ｆ２の最大振幅値とでＰＤＬを算出したが、振幅値の平均値に基づき、ＰＤＬを算出しても良い。更に、上記実施例では、プローブ用の光信号の第１のパイロット信号ｆ１の最大振幅値と第２のパイロット信号ｆ２の最大振幅値との時間差でＤＧＤを算出したが、これらに限定されるものではない。
【０１２７】
上記実施例では、生成部１５で生成したプローブ用の光信号を用いてＯＣＭ１９で偏波依存評価値等を算出した。しかしながら、他の生成部１５からのプローブ用の光信号を他の伝送区間の偏波依存評価値に再利用するリセット回路を光伝送装置２や中継装置３内に内蔵しても良い。図２４は、リセット回路１１０の一例を示す説明図である。
【０１２８】
図２４に示すリセット回路１１０は、他の生成部１５からプローブ用の光信号を受信した場合、そのプローブ用の光信号を初期化し、このリセット回路１１０以降の他の伝送区間に初期化したプローブ用の光信号を再利用するものである。図２４の（Ａ）に示すリセット回路１１０は、偏波分離部１１１と、ＶＯＡ１１２と、ＣＩＲ１１３と、ＶＯＡ１１４と、ＭＥＭＳ（Micro  Electrical  Mechanical  System）１１５と、合波部１１６とを有する。
【０１２９】
偏波分離部１１１は、受信した他の生成部１５からのプローブ用の光信号を偏波分離し、第１のパイロット信号を重畳した光信号及び第２のパイロット信号を重畳した光信号に分離出力する。偏波分離部１１１は、分離した第２のパイロット信号を重畳した光信号をＶＯＡ１１２に出力すると共に、分離した第１のパイロット信号を重畳した光信号をＣＩＲ１１３に出力する。ＭＥＭＳ１１５は、図２４の（Ｂ）に示すように、第１のパイロット信号と第２のパイロット信号との間の遅延差（ＤＧＤ）を算出する。ＣＩＲ１１３は、ＭＥＭＳ１１５の位相調整信号に応じて遅延差がなくなるように、第１のパイロット信号を重畳した光信号を位相調整し、位相調整後の光信号をＶＯＡ１１４に出力する。
【０１３０】
ＶＯＡ１１２は、第２のパイロット信号の出力レベルを所定レベルに調整し、調整した第２のパイロット信号の光信号を合波部１１６に出力する。ＶＯＡ１１４は、ＣＩＲ１１３で位相調整した光信号の第１のパイロット信号の出力レベルを所定レベルに調整し、調整した光信号を合波部１１６に出力する。尚、ＶＯＡ１１２及びＶＯＡ１１４の出力レベルは、例えば、プローブ用の光信号生成時の同一レベルである。
【０１３１】
つまり、ＶＯＡ１１２の出力である第２のパイロット信号及びＶＯＡ１１４の出力である第１のパイロット信号は、図２４の（Ｃ）に示すように同一位相の同一レベルとなり、初期化された状態となる。
【０１３２】
合波部１１６は、ＶＯＡ１１２の第２のパイロット信号を重畳した光信号とＶＯＡ１１４の第１のパイロット信号を重畳した光信号とを合波してプローブ用の光信号を初期化した状態で出力する。その結果、リセット回路１１０から生成部１５で生成したプローブ用の光信号をリセットして出力できるため、プローブ用の光信号を再利用できる。
【０１３３】
ＯＣＭ１９は、リセット回路１１０からのプローブ用の光信号を用いて、リセット回路１１０からの新たな伝送区間のＰＤＬ及びＤＧＤ等の偏波依存評価値を算出できる。
【０１３４】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１３５】
更に、各装置で行われる各種処理機能は、ＣＰＵ（Central  Processing  Unit）、ＤＳＰ（Digital  Signal  Processor）やＦＰＧＡ（Field  Programmable  Gate  Array）等上で、その全部又は任意の一部を実行するようにしても良い。また、各種処理機能は、ＣＰＵ等で解析実行するプログラム上、又はワイヤードロジックによるハードウェア上で、その全部又は任意の一部を実行するようにしても良い。
【０１３６】
各種情報を記憶する領域は、例えば、ＲＯＭ（Read  Only  Memory）や、ＳＤＲＡＭ（Synchronous  Dynamic  Random  Access  Memory）、ＭＲＡＭ（Magnetoresistive  Random  Access  Memory）やＮＶＲＡＭ（Non  Volatile  Random  Access  Memory）等のＲＡＭ（Random  Access  Memory）で構成しても良い。
【０１３７】
以上、本実施例を含む実施の形態に関し、更に以下の付記を開示する。
【０１３８】
（付記１）光信号を偏波分離する分離部と、
前記分離部で偏波分離された各光信号の偏波方向が単一の偏波方向になるように前記偏波分離後の光信号を調整し、調整後の各光信号を合波する第１の調整部と、
前記第１の調整部で合波した光信号を分岐し、分岐した各光信号をパイロット信号で強度変調する変調部と、
前記変調部で強度変調後の各光信号の偏波方向が異なるように前記強度変調後の光信号を調整する第２の調整部と、
前記第２の調整部で調整後の各光信号を合波してプローブ用の光信号を生成して出力する出力部と
を有することを特徴とするプローブ発生装置。
【０１３９】
（付記２）前記変調部は、
監視対象の第１の伝送区間を識別する第１の識別情報を重畳した第１のパイロット信号と、監視対象の第２の伝送区間を識別する第２の識別情報を重畳した第２のパイロット信号とを生成する生成部を有し、
前記分岐した一方の光信号を第１のパイロット信号で強度変調すると共に、前記分岐した他方の光信号を第２のパイロット信号で強度変調することを特徴とする付記１に記載のプローブ発生装置。
【０１４０】
（付記３）前記プローブ用の光信号をＯＮ／ＯＦＦする制御部を有することを特徴とする付記１又は２に記載のプローブ発生装置。
【０１４１】
（付記４）前記プローブ用の光信号の波長と異なる波長のダミー光信号を出力することを特徴とする付記３に記載のプローブ発生装置。
【０１４２】
（付記５）第１の波長の光信号を偏波分離する第１の分離部と、
前記第１の分離部で偏波分離された各光信号の偏波方向が単一の偏波方向になるように前記偏波分離後の光信号を調整し、調整後の各光信号を合波する第３の調整部と、
前記第３の調整部で合波した光信号を分岐し、分岐した各光信号をパイロット信号で強度変調する第１の変調部と、
前記第１の変調部で強度変調後の各光信号の偏波方向が異なるように前記強度変調後の光信号を調整する第４の調整部と、
前記第２の調整部で調整後の各光信号を合波する第１の合波部と、
前記第１の波長と異なる第２の波長の光信号を偏波分離する第２の分離部と、
前記第２の分離部で偏波分離された各光信号の偏波方向が単一の偏波方向になるように前記偏波分離後の光信号を調整し、調整後の各光信号を合波する第５の調整部と、
前記第５の調整部で合波した光信号を分岐し、分岐した各光信号をパイロット信号で強度変調する第２の変調部と、
前記第２の変調部で強度変調後の各光信号の偏波方向が異なるように前記強度変調後の光信号を調整する第６の調整部と、
前記第６の調整部で調整後の各光信号を合波する第２の合波部と、
前記第１の合波部で合波された光信号と前記第２の合波部で合波された光信号とを合波してプローブ用の光信号を生成して出力する出力部と
を有することを特徴とするプローブ発生装置。
【０１４３】
（付記６）前記第１の合波部からの光信号をＯＮ／ＯＦＦする第１の制御部と、
前記第２の合波部からの光信号をＯＮ／ＯＦＦする第２の制御部と
を有することを特徴とする付記５に記載のプローブ発生装置。
【０１４４】
（付記７）前記第１の制御部は、
前記第２の制御部にて前記第２の合波部からの光信号をＯＮにした場合に、前記第１の合波部からの光信号をＯＦＦにし、
前記第２の制御部は、
前記第１の制御部にて前記第１の合波部からの光信号をＯＮにした場合に、前記第２の合波部からの光信号をＯＦＦにすることを特徴とする付記６に記載のプローブ発生装置。
【０１４５】
（付記８）前記プローブ用の光信号の波長と異なるダミー光信号を出力することを特徴とする付記６に記載のプローブ発生装置。
【０１４６】
（付記９）光信号を偏波分離する分離部と、
前記分離部で偏波分離された各光信号の偏波方向が単一の偏波方向になるように前記偏波分離後の光信号を調整し、調整後の各光信号を合波する第１の調整部と、
前記第１の調整部で合波した光信号を分岐し、分岐した各光信号をパイロット信号で強度変調する変調部と、
前記変調部で強度変調後の各光信号の偏波方向が異なるように前記強度変調後の光信号を調整する第２の調整部と、
前記第２の調整部で調整後の各光信号を合波してプローブ用の光信号を生成して出力する出力部と、
他の光伝送装置から前記プローブ用の光信号を受信した場合に、前記プローブ用の光信号から各パイロット信号を抽出する抽出部と、
前記抽出部にて抽出された各パイロット信号に基づき、偏波依存評価値を算出する算出部と
を有することを特徴とする光伝送装置。
【０１４７】
（付記１０）第１の波長の光信号を偏波分離する第１の分離部と、
前記第１の分離部で偏波分離された各光信号の偏波方向が単一の偏波方向になるように前記偏波分離後の光信号を調整し、調整後の各光信号を合波する第３の調整部と、
前記第３の調整部で合波した光信号を分岐し、分岐した一方の光信号を第１のパイロット信号で強度変調すると共に、分岐した他方の光信号を第２のパイロット信号で強度変調する第１の変調部と、
前記第１の変調部で強度変調後の各光信号の偏波方向が異なるように前記強度変調後の光信号を調整する第４の調整部と、
前記第４の調整部で調整後の各光信号を合波する第１の合波部と、
前記第１の波長と異なる第２の波長の光信号を偏波分離する第２の分離部と、
前記第２の分離部で偏波分離された各光信号の偏波方向が単一の偏波方向になるように前記偏波分離後の光信号を調整し、調整後の各光信号を合波する第５の調整部と、
前記第５の調整部で合波した光信号を分岐し、分岐した一方の光信号を第３のパイロット信号で強度変調すると共に、分岐した他方の光信号を第４のパイロット信号で強度変調する第２の変調部と、
前記第２の変調部で強度変調後の各光信号の偏波方向が異なるように前記強度変調後の光信号を調整する第６の調整部と、
前記第６の調整部で調整後の各光信号を合波する第２の合波部と、
前記第１の合波部で合波された光信号と前記第２の合波部で合波された光信号とを合波してプローブ用の光信号を生成して出力する出力部と
他の光伝送装置から前記プローブ用の光信号を受信した場合に、前記プローブ用の光信号から前記第１のパイロット信号、前記第２のパイロット信号、前記第３のパイロット信号及び前記第４のパイロット信号を抽出する抽出部と、
前記抽出部にて抽出された前記第１のパイロット信号、前記第２のパイロット信号、前記第３のパイロット信号及び前記第４のパイロット信号に基づき、群速度分散を含む偏波依存評価値を算出する算出部と
を有することを特徴とする光伝送装置。
【０１４８】
（付記１１）光信号を偏波分離し、
前記偏波分離された各光信号の偏波方向が単一の偏波方向になるように前記偏波分離後の光信号を調整し、調整後の各光信号を合波し、
合波した光信号を分岐し、分岐した各光信号をパイロット信号で強度変調し、
前記強度変調後の各光信号の偏波方向が異なるように前記強度変調後の光信号を調整し、
前記強度変調後に調整後の各光信号を合波してプローブ用の光信号を生成して出力する
処理を実行するプローブ発生方法。
【符号の説明】
【０１４９】
２  光伝送装置
１５  生成部
１９  ＯＣＭ
４４  偏波分離部
４５  第１の９０度回転部
４６  合波部
４７  光分岐部
４８  第１のＩＭ
４９  第２のＩＭ
５０  第２の９０度回転部
５１  偏波合波部
５２  偏波回転部
５４  パイロット信号生成部
５９  ＶＯＡ
６０  ＶＯＡ制御部
８３Ａ  第１の復調回路
８３Ｂ  第２の復調回路
８４Ａ  第１のＢＰＦ
８４Ｂ  第２のＢＰＦ
８６  ＰＤＬ演算部
８８  ＤＧＤ演算部
８８Ａ  ＤＧＤ／ＧＶＤ演算部
【図１】
2016208276.tif 000003
【図２】
2016208276.tif 000004
【図３】
2016208276.tif 000005
【図４】
2016208276.tif 000006
【図５】
2016208276.tif 000007
【図６】
2016208276.tif 000008
【図７】
2016208276.tif 000009
【図８】
2016208276.tif 000010
【図９】
2016208276.tif 000011
【図１０】
2016208276.tif 000012
【図１１】
2016208276.tif 000013
【図１２】
2016208276.tif 000014
【図１３】
2016208276.tif 000015
【図１４】
2016208276.tif 000016
【図１５】
2016208276.tif 000017
【図１６】
2016208276.tif 000018
【図１７】
2016208276.tif 000019
【図１８】
2016208276.tif 000020
【図１９】
2016208276.tif 000021
【図２０】
2016208276.tif 000022
【図２１】
2016208276.tif 000023
【図２２】
2016208276.tif 000024
【図２３】
2016208276.tif 000025
【図２４】
2016208276.tif 000026